(57)【特許請求の範囲】
【請求項１】
画像処理システムであって、
画像処理装置と
前記画像処理装置と通信可能な携帯端末と、
を備え、
前記画像処理装置は、
前記携帯端末との無線通信接続であって、近距離無線通信による接続を含む無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する第１の表示制御手段と、
前記表示内容決定処理にて前記携帯端末の表示手段における新たな表示内容として決定された画面に関する画面情報を前記携帯端末に送信する通信制御手段と、
を有し、
前記携帯端末は、
前記画像処理装置からの前記画面情報に基づき、前記携帯端末の表示手段における表示内容を制御する第２の表示制御手段、
を有し、
前記無線通信接続が確立された際に前記特定の表示手段に複数の画面が表示されている、と判定される場合、
前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記画像処理装置の前記通信制御手段は、前記表示内容決定処理の決定内容に基づき前記一部の画面に関する情報を前記画面情報として前記携帯端末に送信し、
前記携帯端末の前記第２の表示制御手段は、前記一部の画面を前記携帯端末の表示手段に表示し、
前記画像処理装置の前記第１の表示制御手段は、前記表示内容決定処理の決定内容に基づき前記残余の画面を前記画像処理装置の表示手段に表示し、
前記無線通信接続は、近距離無線通信による接続を含み、
前記画像処理装置の前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記画像処理装置の前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、
前記画像処理装置の前記決定手段は、前記無線通信接続が確立された際に前記第２のアプリケーションが前記携帯端末にて起動されていない旨が、前記携帯端末から取得された前記起動状態に基づき判定されることを条件に、前記表示内容決定処理を行うことを決定することを特徴とする画像処理システム。
【請求項２】
画像処理システムであって、
画像処理装置と
前記画像処理装置と通信可能な携帯端末と、
を備え、
前記画像処理装置は、
前記携帯端末との無線通信接続であって、近距離無線通信による接続を含む無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する第１の表示制御手段と、
前記表示内容決定処理にて前記携帯端末の表示手段における新たな表示内容として決定された画面に関する画面情報を前記携帯端末に送信する通信制御手段と、
を有し、
前記携帯端末は、
前記画像処理装置からの前記画面情報に基づき、前記携帯端末の表示手段における表示内容を制御する第２の表示制御手段、
を有し、
前記無線通信接続が確立された際に前記特定の表示手段に複数の画面が表示されている、と判定される場合、
前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記画像処理装置の前記通信制御手段は、前記表示内容決定処理の決定内容に基づき前記一部の画面に関する情報を前記画面情報として前記携帯端末に送信し、
前記携帯端末の前記第２の表示制御手段は、前記一部の画面を前記携帯端末の表示手段に表示し、
前記画像処理装置の前記第１の表示制御手段は、前記表示内容決定処理の決定内容に基づき前記残余の画面を前記画像処理装置の表示手段に表示し、
前記無線通信接続は、近距離無線通信による接続を含み、
前記画像処理装置の前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記画像処理装置の前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、
前記画像処理装置の前記第１の表示制御手段は、前記無線通信接続が確立された際に前記第２のアプリケーションが前記携帯端末にて起動されている場合において、前記画像処理装置の表示手段に前記複数の画面が表示されているときには、前記表示内容決定処理を行うべきか否かを指定するための選択画面を前記画像処理装置の表示手段に表示し、
前記画像処理装置の前記決定手段は、
前記表示内容決定処理を行うべきでない旨が前記選択画面に関するユーザ操作によって指定されると、前記第２のアプリケーションを起動すべきこと及び前記表示内容決定処理を行わないことを決定し、
前記表示内容決定処理を行うべき旨が前記ユーザ操作によって指定されると、前記第２のアプリケーションが前記携帯端末にて起動されている場合であっても、前記第１のアプリケーションを起動すべきこと及び前記表示内容決定処理を行うことを決定することを特徴とする画像処理システム。
【請求項３】
画像処理システムであって、
画像処理装置と
前記画像処理装置と通信可能な携帯端末と、
を備え、
前記画像処理装置は、
前記携帯端末との無線通信接続であって、近距離無線通信による接続を含む無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する第１の表示制御手段と、
前記表示内容決定処理にて前記携帯端末の表示手段における新たな表示内容として決定された画面に関する画面情報を前記携帯端末に送信する通信制御手段と、
を有し、
前記携帯端末は、
前記画像処理装置からの前記画面情報に基づき、前記携帯端末の表示手段における表示内容を制御する第２の表示制御手段、
を有し、
前記無線通信接続が確立された際に前記特定の表示手段に複数の画面が表示されている、と判定される場合、
前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記画像処理装置の前記通信制御手段は、前記表示内容決定処理の決定内容に基づき前記一部の画面に関する情報を前記画面情報として前記携帯端末に送信し、
前記携帯端末の前記第２の表示制御手段は、前記一部の画面を前記携帯端末の表示手段に表示し、
前記画像処理装置の前記第１の表示制御手段は、前記表示内容決定処理の決定内容に基づき前記残余の画面を前記画像処理装置の表示手段に表示し、
前記無線通信接続は、近距離無線通信による接続を含み、
前記画像処理装置の前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記画像処理装置は、
前記無線通信接続が確立された際に前記携帯端末にて自動起動すべきアプリケーションである接続時起動アプリケーションを、予め指定する指定手段、
をさらに有し、
前記画像処理装置の前記決定手段は、前記無線通信接続が確立された際に前記第１のアプリケーションと前記第２のアプリケーションとのいずれもが前記携帯端末にて起動されていない場合、前記接続時起動アプリケーションの指定内容に応じたアプリケーションを起動すべきことを決定するとともに、前記表示内容決定処理を行うか否かを判定し、
前記第１のアプリケーションが前記接続時起動アプリケーションとして指定されている場合、前記表示内容決定処理を行うことを決定し、
前記第２のアプリケーションが前記接続時起動アプリケーションとして指定されている場合、前記表示内容決定処理を行わないことを決定することを特徴とする画像処理システム。
【請求項４】
画像処理システムであって、
画像処理装置と
前記画像処理装置と通信可能な携帯端末と、
を備え、
前記画像処理装置は、
前記携帯端末との無線通信接続であって、近距離無線通信による接続を含む無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する第１の表示制御手段と、
前記表示内容決定処理にて前記携帯端末の表示手段における新たな表示内容として決定された画面に関する画面情報を前記携帯端末に送信する通信制御手段と、
を有し、
前記携帯端末は、
前記画像処理装置からの前記画面情報に基づき、前記携帯端末の表示手段における表示内容を制御する第２の表示制御手段、
を有し、
前記無線通信接続が確立された際に前記特定の表示手段に複数の画面が表示されている、と判定される場合、
前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記画像処理装置の前記通信制御手段は、前記表示内容決定処理の決定内容に基づき前記一部の画面に関する情報を前記画面情報として前記携帯端末に送信し、
前記携帯端末の前記第２の表示制御手段は、前記一部の画面を前記携帯端末の表示手段に表示し、
前記画像処理装置の前記第１の表示制御手段は、前記表示内容決定処理の決定内容に基づき前記残余の画面を前記画像処理装置の表示手段に表示し、
前記無線通信接続は、近距離無線通信による接続を含み、
前記画像処理装置の前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記画像処理装置は、
前記無線通信接続が確立された際に前記携帯端末にて自動起動すべきアプリケーションである接続時起動アプリケーションを、予め指定する指定手段、
をさらに有し、
前記無線通信接続が確立された際に前記第１のアプリケーションと前記第２のアプリケーションとの両アプリケーションのいずれもが前記携帯端末にて起動されておらず、且つ前記第１のアプリケーションが前記接続時起動アプリケーションとして指定されている場合、前記画像処理装置の前記決定手段は、前記第１のアプリケーションを起動すべきこと及び前記表示内容決定処理を行うことを決定し、
前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に単一の画面のみが表示されているときには、前記画像処理装置の前記決定手段は、前記第２のアプリケーションを起動すべきこと及び前記表示内容決定処理を行わないことを決定し、
前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に前記複数の画面が表示されているときには、前記画像処理装置の前記第１の表示制御手段は、前記表示内容決定処理を行うべきか否かを指定するための選択画面を前記画像処理装置の表示手段に表示し、
前記表示内容決定処理を行うべきでない旨が前記選択画面に関するユーザ操作によって指定されると、前記画像処理装置の前記決定手段は、前記第２のアプリケーションを起動すべきこと及び前記表示内容決定処理を行わないことを決定し、
前記表示内容決定処理を行うべき旨が前記ユーザ操作によって指定されると、前記画像処理装置の前記決定手段は、前記第２のアプリケーションが前記接続時起動アプリケーションとして指定されている場合であっても、前記第２のアプリケーションを起動せずに前記第１のアプリケーションを起動すべきこと及び前記表示内容決定処理を行うことを決定することを特徴とする画像処理システム。
【請求項５】
画像処理システムであって、
画像処理装置と
前記画像処理装置と通信可能な携帯端末と、
を備え、
前記画像処理装置は、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する第１の表示制御手段と、
前記表示内容決定処理にて前記携帯端末の表示手段における新たな表示内容として決定された画面に関する画面情報を前記携帯端末に送信する通信制御手段と、
を有し、
前記携帯端末は、
前記画像処理装置からの前記画面情報に基づき、前記携帯端末の表示手段における表示内容を制御する第２の表示制御手段、
を有し、
前記無線通信接続が確立された際に前記特定の表示手段に複数の画面が表示されている、と判定される場合、
前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記画像処理装置の前記通信制御手段は、前記表示内容決定処理の決定内容に基づき前記一部の画面に関する情報を前記画面情報として前記携帯端末に送信し、
前記携帯端末の前記第２の表示制御手段は、前記一部の画面を前記携帯端末の表示手段に表示し、
前記画像処理装置の前記第１の表示制御手段は、前記表示内容決定処理の決定内容に基づき前記残余の画面を前記画像処理装置の表示手段に表示し、
前記画像処理装置の前記決定手段は、前記無線通信接続が確立された際に前記特定の表示手段に前記複数の画面が重なって表示されている場合に、所定の種類の画面が前記複数の画面に含まれることを条件として、前記一部の画面を前記携帯端末の表示手段における新たな表示内容として決定するとともに、前記残余の画面を前記画像処理装置の表示手段における新たな表示内容として決定することを特徴とする画像処理システム。
【請求項６】
画像処理システムであって、
画像処理装置と
前記画像処理装置と通信可能な携帯端末と、
を備え、
前記画像処理装置は、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する第１の表示制御手段と、
前記表示内容決定処理にて前記携帯端末の表示手段における新たな表示内容として決定された画面に関する画面情報を前記携帯端末に送信する通信制御手段と、
を有し、
前記携帯端末は、
前記画像処理装置からの前記画面情報に基づき、前記携帯端末の表示手段における表示内容を制御する第２の表示制御手段、
を有し、
前記無線通信接続が確立された際に前記特定の表示手段に複数の画面が表示されている、と判定される場合、
前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記画像処理装置の前記通信制御手段は、前記表示内容決定処理の決定内容に基づき前記一部の画面に関する情報を前記画面情報として前記携帯端末に送信し、
前記携帯端末の前記第２の表示制御手段は、前記一部の画面を前記携帯端末の表示手段に表示し、
前記画像処理装置の前記第１の表示制御手段は、前記表示内容決定処理の決定内容に基づき前記残余の画面を前記画像処理装置の表示手段に表示し、
前記画像処理装置の前記決定手段は、
前記画像処理装置の表示手段の画面サイズと前記携帯端末の表示手段の画面サイズとを比較し、
前記複数の画面のうち最も大きい表示サイズの画面を、前記画像処理装置と前記携帯端末とのうち比較的大きな画面サイズの表示手段を有する装置に表示することを決定することを特徴とする画像処理システム。
【請求項７】
携帯端末と通信可能な画像処理装置であって、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する表示制御手段と、
前記表示内容決定処理にて前記携帯端末の表示手段における新たな表示内容として決定された画面に関する画面情報を前記携帯端末に送信する通信制御手段と、
を備え、
前記無線通信接続が確立された際に前記特定の表示手段において複数の画面が表示されている、と判定される場合、
前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記通信制御手段は、前記表示内容決定処理の決定内容に基づき前記一部の画面に関する情報を前記画面情報として前記携帯端末に送信し、
前記表示制御手段は、前記表示内容決定処理の決定内容に基づき前記残余の画面を前記画像処理装置の表示手段に表示し、
前記無線通信接続は、近距離無線通信による接続を含み、
前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、
前記決定手段は、前記無線通信接続が確立された際に前記第２のアプリケーションが前記携帯端末にて起動されていない旨が、前記携帯端末から取得された前記起動状態に基づき判定されることを条件に、前記表示内容決定処理を行うことを決定することを特徴とする画像処理装置。
【請求項８】
携帯端末と通信可能な画像処理装置であって、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する表示制御手段と、
前記表示内容決定処理にて前記携帯端末の表示手段における新たな表示内容として決定された画面に関する画面情報を前記携帯端末に送信する通信制御手段と、
を備え、
前記無線通信接続が確立された際に前記特定の表示手段において複数の画面が表示されている、と判定される場合、
前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記通信制御手段は、前記表示内容決定処理の決定内容に基づき前記一部の画面に関する情報を前記画面情報として前記携帯端末に送信し、
前記表示制御手段は、前記表示内容決定処理の決定内容に基づき前記残余の画面を前記画像処理装置の表示手段に表示し、
前記無線通信接続は、近距離無線通信による接続を含み、
前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、
前記表示制御手段は、前記無線通信接続が確立された際に前記第２のアプリケーションが前記携帯端末にて起動されている場合において、前記画像処理装置の表示手段に前記複数の画面が表示されているときには、前記表示内容決定処理を行うべきか否かを指定するための選択画面を前記画像処理装置の表示手段に表示し、
前記決定手段は、
前記表示内容決定処理を行うべきでない旨が前記選択画面に関するユーザ操作によって指定されると、前記第２のアプリケーションを起動すべきこと及び前記表示内容決定処理を行わないことを決定し、
前記表示内容決定処理を行うべき旨が前記ユーザ操作によって指定されると、前記第２のアプリケーションが前記携帯端末にて起動されている場合であっても、前記第１のアプリケーションを起動すべきこと及び前記表示内容決定処理を行うことを決定することを特徴とする画像処理装置。
【請求項９】
携帯端末と通信可能な画像処理装置であって、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する表示制御手段と、
前記表示内容決定処理にて前記携帯端末の表示手段における新たな表示内容として決定された画面に関する画面情報を前記携帯端末に送信する通信制御手段と、
を備え、
前記無線通信接続が確立された際に前記特定の表示手段において複数の画面が表示されている、と判定される場合、
前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記通信制御手段は、前記表示内容決定処理の決定内容に基づき前記一部の画面に関する情報を前記画面情報として前記携帯端末に送信し、
前記表示制御手段は、前記表示内容決定処理の決定内容に基づき前記残余の画面を前記画像処理装置の表示手段に表示し、
前記無線通信接続は、近距離無線通信による接続を含み、
前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記画像処理装置は、
前記無線通信接続が確立された際に前記携帯端末にて自動起動すべきアプリケーションである接続時起動アプリケーションを、予め指定する指定手段、
をさらに備え、
前記決定手段は、前記無線通信接続が確立された際に前記第１のアプリケーションと前記第２のアプリケーションとのいずれもが前記携帯端末にて起動されていない場合、前記接続時起動アプリケーションの指定内容に応じたアプリケーションを起動すべきことを決定するとともに、前記表示内容決定処理を行うか否かを判定し、
前記第１のアプリケーションが前記接続時起動アプリケーションとして指定されている場合、前記表示内容決定処理を行うことを決定し、
前記第２のアプリケーションが前記接続時起動アプリケーションとして指定されている場合、前記表示内容決定処理を行わないことを決定することを特徴とする画像処理装置。
【請求項１０】
携帯端末と通信可能な画像処理装置であって、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する表示制御手段と、
前記表示内容決定処理にて前記携帯端末の表示手段における新たな表示内容として決定された画面に関する画面情報を前記携帯端末に送信する通信制御手段と、
を備え、
前記無線通信接続が確立された際に前記特定の表示手段において複数の画面が表示されている、と判定される場合、
前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記通信制御手段は、前記表示内容決定処理の決定内容に基づき前記一部の画面に関する情報を前記画面情報として前記携帯端末に送信し、
前記表示制御手段は、前記表示内容決定処理の決定内容に基づき前記残余の画面を前記画像処理装置の表示手段に表示し、
前記無線通信接続は、近距離無線通信による接続を含み、
前記決定手段は、前記近距離無線通信によって前記画像処理装置と前記携帯端末との接続が確立されたことを条件として、前記表示内容決定処理を行うことを決定し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記画像処理装置は、
前記無線通信接続が確立された際に前記携帯端末にて自動起動すべきアプリケーションである接続時起動アプリケーションを、予め指定する指定手段、
をさらに備え、
前記無線通信接続が確立された際に前記第１のアプリケーションと前記第２のアプリケーションとの両アプリケーションのいずれもが前記携帯端末にて起動されておらず、且つ前記第１のアプリケーションが前記接続時起動アプリケーションとして指定されている場合、前記決定手段は、前記第１のアプリケーションを起動すべきこと及び前記表示内容決定処理を行うことを決定し、
前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に単一の画面のみが表示されているときには、前記決定手段は、前記表示内容決定処理を行わないこと及び前記第２のアプリケーションを起動すべきことを決定し、
前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に前記複数の画面が表示されているときには、前記表示制御手段は、前記表示内容決定処理を行うべきか否かを指定するための選択画面を前記画像処理装置の表示手段に表示し、
前記表示内容決定処理を行うべきでない旨が前記選択画面に関するユーザ操作によって指定されると、前記決定手段は、前記第２のアプリケーションを起動すべきこと及び前記表示内容決定処理を行わないことを決定し、
前記表示内容決定処理を行うべき旨が前記ユーザ操作によって指定されると、前記決定手段は、前記第２のアプリケーションが前記接続時起動アプリケーションとして指定されている場合であっても、前記第２のアプリケーションを起動せずに前記第１のアプリケーションを起動すべきこと及び前記表示内容決定処理を行うことを決定することを特徴とする画像処理装置。
【請求項１１】
携帯端末と通信可能な画像処理装置であって、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する表示制御手段と、
前記表示内容決定処理にて前記携帯端末の表示手段における新たな表示内容として決定された画面に関する画面情報を前記携帯端末に送信する通信制御手段と、
を備え、
前記無線通信接続が確立された際に前記特定の表示手段において複数の画面が表示されている、と判定される場合、
前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記通信制御手段は、前記表示内容決定処理の決定内容に基づき前記一部の画面に関する情報を前記画面情報として前記携帯端末に送信し、
前記表示制御手段は、前記表示内容決定処理の決定内容に基づき前記残余の画面を前記画像処理装置の表示手段に表示し、
前記決定手段は、前記無線通信接続が確立された際に前記特定の表示手段に前記複数の画面が重なって表示されている場合に、所定の種類の画面が前記複数の画面に含まれることを条件として、前記一部の画面を前記携帯端末の表示手段における新たな表示内容として決定するとともに、前記残余の画面を前記画像処理装置の表示手段における新たな表示内容として決定することを特徴とする画像処理装置。
【請求項１２】
携帯端末と通信可能な画像処理装置であって、
前記携帯端末との無線通信接続を確立する通信手段と、
前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、
前記表示内容決定処理の決定内容に基づき、前記画像処理装置の表示手段における表示内容を制御する表示制御手段と、
前記表示内容決定処理にて前記携帯端末の表示手段における新たな表示内容として決定された画面に関する画面情報を前記携帯端末に送信する通信制御手段と、
を備え、
前記無線通信接続が確立された際に前記特定の表示手段において複数の画面が表示されている、と判定される場合、
前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、
前記通信制御手段は、前記表示内容決定処理の決定内容に基づき前記一部の画面に関する情報を前記画面情報として前記携帯端末に送信し、
前記表示制御手段は、前記表示内容決定処理の決定内容に基づき前記残余の画面を前記画像処理装置の表示手段に表示し、
前記決定手段は、
前記画像処理装置の表示手段の画面サイズと前記携帯端末の表示手段の画面サイズとを比較し、
前記複数の画面のうち最も大きい表示サイズの画面を、前記画像処理装置と前記携帯端末とのうち比較的大きな画面サイズの表示手段を有する装置に表示することを決定することを特徴とする画像処理装置。
【請求項１３】
携帯端末と通信可能な画像処理装置に内蔵されたコンピュータに、
ａ）前記画像処理装置の表示手段と前記携帯端末の表示手段との両表示手段のうちの特定の表示手段に表示されている画面の数を判定するステップと、
ｂ）前記特定の表示手段に表示されている画面の数に応じて前記両表示手段における新たな表示内容を決定する表示内容決定処理を行うステップと、
ｃ）前記表示内容決定処理にて前記携帯端末の表示手段における新たな表示内容として決定された画面に関する画面情報を前記携帯端末に送信するステップと、
ｄ）前記表示内容決定処理の決定内容に基づき、前記画像処理装置の表示手段における表示内容を制御するステップと、
を実行させるためのプログラムであって、
前記画像処理装置と前記携帯端末との無線通信接続が確立された際に前記特定の表示手段に複数の画面が表示されている、と前記ステップａ）にて判定される場合、
前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、
前記ステップｃ）においては、前記表示内容決定処理の決定内容に基づき前記一部の画面に関する情報が前記画面情報として前記携帯端末に送信され、
前記ステップｄ）においては、前記表示内容決定処理の決定内容に基づき前記残余の画面が前記画像処理装置の表示手段に表示され、
前記無線通信接続は、近距離無線通信による接続を含み、
前記ステップｂ）は、
ｂ−１）前記近距離無線通信によって前記画像処理装置と前記携帯端末との接続が確立されたことを条件として、前記表示内容決定処理を行うことを決定するステップ、
を有し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記プログラムは、
ｅ）前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得するステップ、
を前記コンピュータにさらに実行させ、
前記ステップｂ−１）においては、前記無線通信接続が確立された際に前記第２のアプリケーションが前記携帯端末にて起動されていない旨が、前記ステップｅ）において前記携帯端末から取得された前記起動状態に基づき判定されることを条件に、前記表示内容決定処理を行うことが決定されることを特徴とするプログラム。
【請求項１４】
携帯端末と通信可能な画像処理装置に内蔵されたコンピュータに、
ａ）前記画像処理装置の表示手段と前記携帯端末の表示手段との両表示手段のうちの特定の表示手段に表示されている画面の数を判定するステップと、
ｂ）前記特定の表示手段に表示されている画面の数に応じて前記両表示手段における新たな表示内容を決定する表示内容決定処理を行うステップと、
ｃ）前記表示内容決定処理にて前記携帯端末の表示手段における新たな表示内容として決定された画面に関する画面情報を前記携帯端末に送信するステップと、
ｄ）前記表示内容決定処理の決定内容に基づき、前記画像処理装置の表示手段における表示内容を制御するステップと、
を実行させるためのプログラムであって、
前記画像処理装置と前記携帯端末との無線通信接続が確立された際に前記特定の表示手段に複数の画面が表示されている、と前記ステップａ）にて判定される場合、
前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、
前記ステップｃ）においては、前記表示内容決定処理の決定内容に基づき前記一部の画面に関する情報が前記画面情報として前記携帯端末に送信され、
前記ステップｄ）においては、前記表示内容決定処理の決定内容に基づき前記残余の画面が前記画像処理装置の表示手段に表示され、
前記無線通信接続は、近距離無線通信による接続を含み、
前記ステップｂ）は、
ｂ−１）前記近距離無線通信によって前記画像処理装置と前記携帯端末との接続が確立されたことを条件として、前記表示内容決定処理を行うことを決定するステップ、
を有し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記プログラムは、
ｅ）前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得するステップと、
ｆ）前記無線通信接続が確立された際に前記第２のアプリケーションが前記携帯端末にて起動されている場合において、前記画像処理装置の表示手段に前記複数の画面が表示されているときには、前記表示内容決定処理を行うべきか否かを指定するための選択画面を前記画像処理装置の表示手段に表示するステップと、
を前記コンピュータにさらに実行させ、
前記ステップｂ−１）は、
ｂ−１−１）前記表示内容決定処理を行うべきでない旨が前記選択画面に関するユーザ操作によって指定されると、前記第２のアプリケーションを起動すべきこと及び前記表示内容決定処理を行わないことを決定するステップと、
ｂ−１−２）前記表示内容決定処理を行うべき旨が前記ユーザ操作によって指定されると、前記第２のアプリケーションが前記携帯端末にて起動されている場合であっても、前記第１のアプリケーションを起動すべきこと及び前記表示内容決定処理を行うことを決定するステップと、
を有することを特徴とするプログラム。
【請求項１５】
携帯端末と通信可能な画像処理装置に内蔵されたコンピュータに、
ａ）前記画像処理装置の表示手段と前記携帯端末の表示手段との両表示手段のうちの特定の表示手段に表示されている画面の数を判定するステップと、
ｂ）前記特定の表示手段に表示されている画面の数に応じて前記両表示手段における新たな表示内容を決定する表示内容決定処理を行うステップと、
ｃ）前記表示内容決定処理にて前記携帯端末の表示手段における新たな表示内容として決定された画面に関する画面情報を前記携帯端末に送信するステップと、
ｄ）前記表示内容決定処理の決定内容に基づき、前記画像処理装置の表示手段における表示内容を制御するステップと、
を実行させるためのプログラムであって、
前記画像処理装置と前記携帯端末との無線通信接続が確立された際に前記特定の表示手段に複数の画面が表示されている、と前記ステップａ）にて判定される場合、
前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、
前記ステップｃ）においては、前記表示内容決定処理の決定内容に基づき前記一部の画面に関する情報が前記画面情報として前記携帯端末に送信され、
前記ステップｄ）においては、前記表示内容決定処理の決定内容に基づき前記残余の画面が前記画像処理装置の表示手段に表示され、
前記無線通信接続は、近距離無線通信による接続を含み、
前記ステップｂ）は、
ｂ−１）前記近距離無線通信によって前記画像処理装置と前記携帯端末との接続が確立されたことを条件として、前記表示内容決定処理を行うことを決定するステップ、
を有し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記プログラムは、
ｅ）前記無線通信接続が確立された際に前記携帯端末にて自動起動すべきアプリケーションである接続時起動アプリケーションを、予め指定するステップ、
を前記コンピュータにさらに実行させ、
前記ステップｂ−１）は、
ｂ−１−１）前記無線通信接続が確立された際に前記第１のアプリケーションと前記第２のアプリケーションとのいずれもが前記携帯端末にて起動されていない場合、前記接続時起動アプリケーションの指定内容に応じたアプリケーションを起動すべきことを決定するとともに、前記表示内容決定処理を行うか否かを判定するステップ、
を有し、
前記ステップｂ−１−１）においては、
前記第１のアプリケーションが前記接続時起動アプリケーションとして指定されている場合、前記表示内容決定処理を行うことが決定され、
前記第２のアプリケーションが前記接続時起動アプリケーションとして指定されている場合、前記表示内容決定処理を行わないことが決定されることを特徴とするプログラム。
【請求項１６】
携帯端末と通信可能な画像処理装置に内蔵されたコンピュータに、
ａ）前記画像処理装置の表示手段と前記携帯端末の表示手段との両表示手段のうちの特定の表示手段に表示されている画面の数を判定するステップと、
ｂ）前記特定の表示手段に表示されている画面の数に応じて前記両表示手段における新たな表示内容を決定する表示内容決定処理を行うステップと、
ｃ）前記表示内容決定処理にて前記携帯端末の表示手段における新たな表示内容として決定された画面に関する画面情報を前記携帯端末に送信するステップと、
ｄ）前記表示内容決定処理の決定内容に基づき、前記画像処理装置の表示手段における表示内容を制御するステップと、
を実行させるためのプログラムであって、
前記画像処理装置と前記携帯端末との無線通信接続が確立された際に前記特定の表示手段に複数の画面が表示されている、と前記ステップａ）にて判定される場合、
前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、
前記ステップｃ）においては、前記表示内容決定処理の決定内容に基づき前記一部の画面に関する情報が前記画面情報として前記携帯端末に送信され、
前記ステップｄ）においては、前記表示内容決定処理の決定内容に基づき前記残余の画面が前記画像処理装置の表示手段に表示され、
前記無線通信接続は、近距離無線通信による接続を含み、
前記ステップｂ）は、
ｂ−１）前記近距離無線通信によって前記画像処理装置と前記携帯端末との接続が確立されたことを条件として、前記表示内容決定処理を行うことを決定するステップ、
を有し、
前記特定の表示手段は、前記画像処理装置の表示手段であり、
前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、
前記表示内容決定処理にて前記携帯端末の表示手段における新たな表示内容として決定された画面は、前記第１のアプリケーションを用いて前記携帯端末の表示手段に表示され、
前記プログラムは、
ｅ）前記無線通信接続が確立された際に前記携帯端末にて自動起動すべきアプリケーションである接続時起動アプリケーションを、予め指定するステップ、
を前記コンピュータにさらに実行させ、
前記ステップｂ−１）は、
ｂ−１−１）前記無線通信接続が確立された際に前記第１のアプリケーションと前記第２のアプリケーションとの両アプリケーションのいずれもが前記携帯端末にて起動されておらず、且つ前記第１のアプリケーションが前記接続時起動アプリケーションとして指定されている場合、前記第１のアプリケーションを起動すべきこと及び前記表示内容決定処理を行うことを決定するステップと、
ｂ−１−２）前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に単一の画面のみが表示されているときには、前記表示内容決定処理を行わないこと及び前記第２のアプリケーションを起動すべきことを決定するステップと、
を有し、
前記プログラムは、
ｆ）前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に前記複数の画面が表示されているときには、前記表示内容決定処理を行うべきか否かを指定するための選択画面を前記画像処理装置の表示手段に表示するステップ、
を前記コンピュータにさらに実行させ、
前記ステップｂ−１）は、
ｂ−１−３）前記表示内容決定処理を行うべきでない旨が前記選択画面に関するユーザ操作によって指定されると、前記第２のアプリケーションを起動すべきこと及び前記表示内容決定処理を行わないことを決定するステップと、
ｂ−１−４）前記表示内容決定処理を行うべき旨が前記ユーザ操作によって指定されると、前記第２のアプリケーションが前記接続時起動アプリケーションとして指定されている場合であっても、前記第２のアプリケーションを起動せずに前記第１のアプリケーションを起動すべきこと及び前記表示内容決定処理を行うことを決定するステップと、
をさらに有することを特徴とするプログラム。
【請求項１７】
携帯端末と通信可能な画像処理装置に内蔵されたコンピュータに、
ａ）前記画像処理装置の表示手段と前記携帯端末の表示手段との両表示手段のうちの特定の表示手段に表示されている画面の数を判定するステップと、
ｂ）前記特定の表示手段に表示されている画面の数に応じて前記両表示手段における新たな表示内容を決定する表示内容決定処理を行うステップと、
ｃ）前記表示内容決定処理にて前記携帯端末の表示手段における新たな表示内容として決定された画面に関する画面情報を前記携帯端末に送信するステップと、
ｄ）前記表示内容決定処理の決定内容に基づき、前記画像処理装置の表示手段における表示内容を制御するステップと、
を実行させるためのプログラムであって、
前記画像処理装置と前記携帯端末との無線通信接続が確立された際に前記特定の表示手段に複数の画面が表示されている、と前記ステップａ）にて判定される場合、
前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、
前記ステップｃ）においては、前記表示内容決定処理の決定内容に基づき前記一部の画面に関する情報が前記画面情報として前記携帯端末に送信され、
前記ステップｄ）においては、前記表示内容決定処理の決定内容に基づき前記残余の画面が前記画像処理装置の表示手段に表示され、
前記ステップｂ）においては、前記無線通信接続が確立された際に前記特定の表示手段に前記複数の画面が重なって表示されている場合に、所定の種類の画面が前記複数の画面に含まれることを条件として、前記一部の画面が前記携帯端末の表示手段における新たな表示内容として決定されるとともに、前記残余の画面が前記画像処理装置の表示手段における新たな表示内容として決定されることを特徴とするプログラム。
【請求項１８】
携帯端末と通信可能な画像処理装置に内蔵されたコンピュータに、
ａ）前記画像処理装置の表示手段と前記携帯端末の表示手段との両表示手段のうちの特定の表示手段に表示されている画面の数を判定するステップと、
ｂ）前記特定の表示手段に表示されている画面の数に応じて前記両表示手段における新たな表示内容を決定する表示内容決定処理を行うステップと、
ｃ）前記表示内容決定処理にて前記携帯端末の表示手段における新たな表示内容として決定された画面に関する画面情報を前記携帯端末に送信するステップと、
ｄ）前記表示内容決定処理の決定内容に基づき、前記画像処理装置の表示手段における表示内容を制御するステップと、
を実行させるためのプログラムであって、
前記画像処理装置と前記携帯端末との無線通信接続が確立された際に前記特定の表示手段に複数の画面が表示されている、と前記ステップａ）にて判定される場合、
前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、
前記ステップｃ）においては、前記表示内容決定処理の決定内容に基づき前記一部の画面に関する情報が前記画面情報として前記携帯端末に送信され、
前記ステップｄ）においては、前記表示内容決定処理の決定内容に基づき前記残余の画面が前記画像処理装置の表示手段に表示され、
前記ステップｂ）は、
ｂ−１）前記画像処理装置の表示手段の画面サイズと前記携帯端末の表示手段の画面サイズとを比較するステップと、
ｂ−２）前記複数の画面のうち最も大きい表示サイズの画面を、前記画像処理装置と前記携帯端末とのうち比較的大きな画面サイズの表示手段を有する装置に表示することを決定するステップと、
を有することを特徴とするプログラム。
【発明の詳細な説明】
【技術分野】
【０００１】
本発明は、ＭＦＰ（マルチ・ファンクション・ペリフェラル（Multi-Functional Peripheral））などの画像処理装置を備える画像処理システム、およびそれに関連する技術に関する。
【背景技術】
【０００２】
画像処理装置（画像形成装置等）の表示部において、複数の画面が表示されることがある。
【０００３】
たとえば、特許文献１においては、画像形成装置の表示部（液晶表示部）に設定画面が表示されている際にヘルプキーが押下されると、当該設定画面に加えてヘルプ画面が、画像形成装置の表示部に表示される。
【０００４】
また、携帯端末の表示部においても、複数の画面が表示されることがある。
【０００５】
たとえば、特許文献２においては、画像形成装置の表示部に表示される操作画面に係る操作画面データを携帯端末の表示部に表示して当該画像形成装置を操作する技術が記載されている。このような技術においては、画像形成装置の表示部にて複数の画面が表示される場合と同様に、当該画像形成装置を操作する携帯端末の表示部においても、画像形成装置からの操作画面データに基づき複数の画面が表示され得る。
【先行技術文献】
【特許文献】
【０００６】
【特許文献１】特開２０１１−２２３０５１号公報
【特許文献２】特開２０１４−１９７３６１号公報
【発明の概要】
【発明が解決しようとする課題】
【０００７】
ところで、画像形成装置の表示部あるいは携帯端末の表示部において複数の画面が表示される場合、ユーザの操作性が低下する。
【０００８】
たとえば、画像形成装置の表示部に設定画面とヘルプ画面との２つの画面が表示される場合において、当該ヘルプ画面が設定画面に重畳しているときには、ユーザは、当該設定画面におけるヘルプ画面との重畳部分の表示内容を確認（視認）することができない。その結果、当該設定画面に対するユーザの操作性が低下する。
【０００９】
また、画像形成装置からの画面データを携帯端末の表示部に表示する技術においても、同様に、携帯端末の表示部において設定画面とヘルプ画面とが互いに重なり合って表示されている場合、ユーザは、当該設定画面におけるヘルプ画面との重畳部分の表示内容を確認（視認）することができず、ユーザの操作性が低下する。
【００１０】
このように、画像形成装置の表示部あるいは携帯端末の表示部において複数の画面が表示される場合、ユーザの操作性が低下する。
【００１１】
このような問題に対して、特許文献２に記載の技術では、２台の携帯端末を準備し、一方の携帯端末の表示部に表示されている画面構成要素を一方の携帯端末と他方の携帯端末とに分離して表示させることにより、複数の画面が表示されることに起因してユーザの操作性が低下する問題を解決している。
【００１２】
しかしながら、必ずしも２台の携帯端末を準備できるとは限らない。たとえば１台の携帯端末しか準備できない場合は、画像形成装置の表示部と携帯端末の表示部とのうちの特定の表示部に複数の画面が表示されることに起因してユーザの操作性が低下する、という問題は依然として存在する。
【００１３】
そこで、本願発明は、２台以上の携帯端末を準備できない場合であっても、画像処理装置の表示部と携帯端末の表示部とのうちの特定の表示部に複数の画面が表示される際におけるユーザの操作性の低下を回避することが可能な技術を提供することを課題とする。
【課題を解決するための手段】
【００１６】
上記課題を解決すべく、請求項１の発明は、画像処理システムであって、画像処理装置と前記画像処理装置と通信可能な携帯端末と、を備え、前記画像処理装置は、前記携帯端末との無線通信接続であって、近距離無線通信による接続を含む無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する第１の表示制御手段と、前記表示内容決定処理にて前記携帯端末の表示手段における新たな表示内容として決定された画面に関する画面情報を前記携帯端末に送信する通信制御手段と、を有し、前記携帯端末は、前記画像処理装置からの前記画面情報に基づき、前記携帯端末の表示手段における表示内容を制御する第２の表示制御手段、を有し、前記無線通信接続が確立された際に前記特定の表示手段に複数の画面が表示されている、と判定される場合、前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記画像処理装置の前記通信制御手段は、前記表示内容決定処理の決定内容に基づき前記一部の画面に関する情報を前記画面情報として前記携帯端末に送信し、前記携帯端末の前記第２の表示制御手段は、前記一部の画面を前記携帯端末の表示手段に表示し、前記画像処理装置の前記第１の表示制御手段は、前記表示内容決定処理の決定内容に基づき前記残余の画面を前記画像処理装置の表示手段に表示し、前記無線通信接続は、近距離無線通信による接続を含み、前記画像処理装置の前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記画像処理装置の前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、前記画像処理装置の前記決定手段は、前記無線通信接続が確立された際に前記第２のアプリケーションが前記携帯端末にて起動されていない旨が、前記携帯端末から取得された前記起動状態に基づき判定されることを条件に、前記表示内容決定処理を行うことを決定することを特徴とする。
【００１７】
請求項２の発明は、画像処理システムであって、画像処理装置と前記画像処理装置と通信可能な携帯端末と、を備え、前記画像処理装置は、前記携帯端末との無線通信接続であって、近距離無線通信による接続を含む無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する第１の表示制御手段と、前記表示内容決定処理にて前記携帯端末の表示手段における新たな表示内容として決定された画面に関する画面情報を前記携帯端末に送信する通信制御手段と、を有し、前記携帯端末は、前記画像処理装置からの前記画面情報に基づき、前記携帯端末の表示手段における表示内容を制御する第２の表示制御手段、を有し、前記無線通信接続が確立された際に前記特定の表示手段に複数の画面が表示されている、と判定される場合、前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記画像処理装置の前記通信制御手段は、前記表示内容決定処理の決定内容に基づき前記一部の画面に関する情報を前記画面情報として前記携帯端末に送信し、前記携帯端末の前記第２の表示制御手段は、前記一部の画面を前記携帯端末の表示手段に表示し、前記画像処理装置の前記第１の表示制御手段は、前記表示内容決定処理の決定内容に基づき前記残余の画面を前記画像処理装置の表示手段に表示し、前記無線通信接続は、近距離無線通信による接続を含み、前記画像処理装置の前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記画像処理装置の前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、前記画像処理装置の前記第１の表示制御手段は、前記無線通信接続が確立された際に前記第２のアプリケーションが前記携帯端末にて起動されている場合において、前記画像処理装置の表示手段に前記複数の画面が表示されているときには、前記表示内容決定処理を行うべきか否かを指定するための選択画面を前記画像処理装置の表示手段に表示し、前記画像処理装置の前記決定手段は、前記表示内容決定処理を行うべきでない旨が前記選択画面に関するユーザ操作によって指定されると、前記第２のアプリケーションを起動すべきこと及び前記表示内容決定処理を行わないことを決定し、前記表示内容決定処理を行うべき旨が前記ユーザ操作によって指定されると、前記第２のアプリケーションが前記携帯端末にて起動されている場合であっても、前記第１のアプリケーションを起動すべきこと及び前記表示内容決定処理を行うことを決定することを特徴とする。
【００１８】
請求項３の発明は、画像処理システムであって、画像処理装置と前記画像処理装置と通信可能な携帯端末と、を備え、前記画像処理装置は、前記携帯端末との無線通信接続であって、近距離無線通信による接続を含む無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する第１の表示制御手段と、前記表示内容決定処理にて前記携帯端末の表示手段における新たな表示内容として決定された画面に関する画面情報を前記携帯端末に送信する通信制御手段と、を有し、前記携帯端末は、前記画像処理装置からの前記画面情報に基づき、前記携帯端末の表示手段における表示内容を制御する第２の表示制御手段、を有し、前記無線通信接続が確立された際に前記特定の表示手段に複数の画面が表示されている、と判定される場合、前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記画像処理装置の前記通信制御手段は、前記表示内容決定処理の決定内容に基づき前記一部の画面に関する情報を前記画面情報として前記携帯端末に送信し、前記携帯端末の前記第２の表示制御手段は、前記一部の画面を前記携帯端末の表示手段に表示し、前記画像処理装置の前記第１の表示制御手段は、前記表示内容決定処理の決定内容に基づき前記残余の画面を前記画像処理装置の表示手段に表示し、前記無線通信接続は、近距離無線通信による接続を含み、前記画像処理装置の前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記画像処理装置は、前記無線通信接続が確立された際に前記携帯端末にて自動起動すべきアプリケーションである接続時起動アプリケーションを、予め指定する指定手段、をさらに有し、前記画像処理装置の前記決定手段は、前記無線通信接続が確立された際に前記第１のアプリケーションと前記第２のアプリケーションとのいずれもが前記携帯端末にて起動されていない場合、前記接続時起動アプリケーションの指定内容に応じたアプリケーションを起動すべきことを決定するとともに、前記表示内容決定処理を行うか否かを判定し、前記第１のアプリケーションが前記接続時起動アプリケーションとして指定されている場合、前記表示内容決定処理を行うことを決定し、前記第２のアプリケーションが前記接続時起動アプリケーションとして指定されている場合、前記表示内容決定処理を行わないことを決定することを特徴とする。
【００１９】
請求項４の発明は、画像処理システムであって、画像処理装置と前記画像処理装置と通信可能な携帯端末と、を備え、前記画像処理装置は、前記携帯端末との無線通信接続であって、近距離無線通信による接続を含む無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する第１の表示制御手段と、前記表示内容決定処理にて前記携帯端末の表示手段における新たな表示内容として決定された画面に関する画面情報を前記携帯端末に送信する通信制御手段と、を有し、前記携帯端末は、前記画像処理装置からの前記画面情報に基づき、前記携帯端末の表示手段における表示内容を制御する第２の表示制御手段、を有し、前記無線通信接続が確立された際に前記特定の表示手段に複数の画面が表示されている、と判定される場合、前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記画像処理装置の前記通信制御手段は、前記表示内容決定処理の決定内容に基づき前記一部の画面に関する情報を前記画面情報として前記携帯端末に送信し、前記携帯端末の前記第２の表示制御手段は、前記一部の画面を前記携帯端末の表示手段に表示し、前記画像処理装置の前記第１の表示制御手段は、前記表示内容決定処理の決定内容に基づき前記残余の画面を前記画像処理装置の表示手段に表示し、前記無線通信接続は、近距離無線通信による接続を含み、前記画像処理装置の前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記画像処理装置は、前記無線通信接続が確立された際に前記携帯端末にて自動起動すべきアプリケーションである接続時起動アプリケーションを、予め指定する指定手段、をさらに有し、前記無線通信接続が確立された際に前記第１のアプリケーションと前記第２のアプリケーションとの両アプリケーションのいずれもが前記携帯端末にて起動されておらず、且つ前記第１のアプリケーションが前記接続時起動アプリケーションとして指定されている場合、前記画像処理装置の前記決定手段は、前記第１のアプリケーションを起動すべきこと及び前記表示内容決定処理を行うことを決定し、前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に単一の画面のみが表示されているときには、前記画像処理装置の前記決定手段は、前記第２のアプリケーションを起動すべきこと及び前記表示内容決定処理を行わないことを決定し、前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に前記複数の画面が表示されているときには、前記画像処理装置の前記第１の表示制御手段は、前記表示内容決定処理を行うべきか否かを指定するための選択画面を前記画像処理装置の表示手段に表示し、前記表示内容決定処理を行うべきでない旨が前記選択画面に関するユーザ操作によって指定されると、前記画像処理装置の前記決定手段は、前記第２のアプリケーションを起動すべきこと及び前記表示内容決定処理を行わないことを決定し、前記表示内容決定処理を行うべき旨が前記ユーザ操作によって指定されると、前記画像処理装置の前記決定手段は、前記第２のアプリケーションが前記接続時起動アプリケーションとして指定されている場合であっても、前記第２のアプリケーションを起動せずに前記第１のアプリケーションを起動すべきこと及び前記表示内容決定処理を行うことを決定することを特徴とする。
【００２１】
請求項５の発明は、画像処理システムであって、画像処理装置と前記画像処理装置と通信可能な携帯端末と、を備え、前記画像処理装置は、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する第１の表示制御手段と、前記表示内容決定処理にて前記携帯端末の表示手段における新たな表示内容として決定された画面に関する画面情報を前記携帯端末に送信する通信制御手段と、を有し、前記携帯端末は、前記画像処理装置からの前記画面情報に基づき、前記携帯端末の表示手段における表示内容を制御する第２の表示制御手段、を有し、前記無線通信接続が確立された際に前記特定の表示手段に複数の画面が表示されている、と判定される場合、前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記画像処理装置の前記通信制御手段は、前記表示内容決定処理の決定内容に基づき前記一部の画面に関する情報を前記画面情報として前記携帯端末に送信し、前記携帯端末の前記第２の表示制御手段は、前記一部の画面を前記携帯端末の表示手段に表示し、前記画像処理装置の前記第１の表示制御手段は、前記表示内容決定処理の決定内容に基づき前記残余の画面を前記画像処理装置の表示手段に表示し、前記画像処理装置の前記決定手段は、前記無線通信接続が確立された際に前記特定の表示手段に前記複数の画面が重なって表示されている場合に、所定の種類の画面が前記複数の画面に含まれることを条件として、前記一部の画面を前記携帯端末の表示手段における新たな表示内容として決定するとともに、前記残余の画面を前記画像処理装置の表示手段における新たな表示内容として決定することを特徴とする。
【００２２】
請求項６の発明は、画像処理システムであって、画像処理装置と前記画像処理装置と通信可能な携帯端末と、を備え、前記画像処理装置は、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する第１の表示制御手段と、前記表示内容決定処理にて前記携帯端末の表示手段における新たな表示内容として決定された画面に関する画面情報を前記携帯端末に送信する通信制御手段と、を有し、前記携帯端末は、前記画像処理装置からの前記画面情報に基づき、前記携帯端末の表示手段における表示内容を制御する第２の表示制御手段、を有し、前記無線通信接続が確立された際に前記特定の表示手段に複数の画面が表示されている、と判定される場合、前記画像処理装置の前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記画像処理装置の前記通信制御手段は、前記表示内容決定処理の決定内容に基づき前記一部の画面に関する情報を前記画面情報として前記携帯端末に送信し、前記携帯端末の前記第２の表示制御手段は、前記一部の画面を前記携帯端末の表示手段に表示し、前記画像処理装置の前記第１の表示制御手段は、前記表示内容決定処理の決定内容に基づき前記残余の画面を前記画像処理装置の表示手段に表示し、前記画像処理装置の前記決定手段は、前記画像処理装置の表示手段の画面サイズと前記携帯端末の表示手段の画面サイズとを比較し、前記複数の画面のうち最も大きい表示サイズの画面を、前記画像処理装置と前記携帯端末とのうち比較的大きな画面サイズの表示手段を有する装置に表示することを決定することを特徴とする。
【００２５】
請求項７の発明は、携帯端末と通信可能な画像処理装置であって、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する表示制御手段と、前記表示内容決定処理にて前記携帯端末の表示手段における新たな表示内容として決定された画面に関する画面情報を前記携帯端末に送信する通信制御手段と、を備え、前記無線通信接続が確立された際に前記特定の表示手段において複数の画面が表示されている、と判定される場合、前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記通信制御手段は、前記表示内容決定処理の決定内容に基づき前記一部の画面に関する情報を前記画面情報として前記携帯端末に送信し、前記表示制御手段は、前記表示内容決定処理の決定内容に基づき前記残余の画面を前記画像処理装置の表示手段に表示し、前記無線通信接続は、近距離無線通信による接続を含み、前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、前記決定手段は、前記無線通信接続が確立された際に前記第２のアプリケーションが前記携帯端末にて起動されていない旨が、前記携帯端末から取得された前記起動状態に基づき判定されることを条件に、前記表示内容決定処理を行うことを決定することを特徴とする。
【００２６】
請求項８の発明は、携帯端末と通信可能な画像処理装置であって、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する表示制御手段と、前記表示内容決定処理にて前記携帯端末の表示手段における新たな表示内容として決定された画面に関する画面情報を前記携帯端末に送信する通信制御手段と、を備え、前記無線通信接続が確立された際に前記特定の表示手段において複数の画面が表示されている、と判定される場合、前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記通信制御手段は、前記表示内容決定処理の決定内容に基づき前記一部の画面に関する情報を前記画面情報として前記携帯端末に送信し、前記表示制御手段は、前記表示内容決定処理の決定内容に基づき前記残余の画面を前記画像処理装置の表示手段に表示し、前記無線通信接続は、近距離無線通信による接続を含み、前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記通信制御手段は、前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得し、前記表示制御手段は、前記無線通信接続が確立された際に前記第２のアプリケーションが前記携帯端末にて起動されている場合において、前記画像処理装置の表示手段に前記複数の画面が表示されているときには、前記表示内容決定処理を行うべきか否かを指定するための選択画面を前記画像処理装置の表示手段に表示し、前記決定手段は、前記表示内容決定処理を行うべきでない旨が前記選択画面に関するユーザ操作によって指定されると、前記第２のアプリケーションを起動すべきこと及び前記表示内容決定処理を行わないことを決定し、前記表示内容決定処理を行うべき旨が前記ユーザ操作によって指定されると、前記第２のアプリケーションが前記携帯端末にて起動されている場合であっても、前記第１のアプリケーションを起動すべきこと及び前記表示内容決定処理を行うことを決定することを特徴とする。
【００２７】
請求項９の発明は、携帯端末と通信可能な画像処理装置であって、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する表示制御手段と、前記表示内容決定処理にて前記携帯端末の表示手段における新たな表示内容として決定された画面に関する画面情報を前記携帯端末に送信する通信制御手段と、を備え、前記無線通信接続が確立された際に前記特定の表示手段において複数の画面が表示されている、と判定される場合、前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記通信制御手段は、前記表示内容決定処理の決定内容に基づき前記一部の画面に関する情報を前記画面情報として前記携帯端末に送信し、前記表示制御手段は、前記表示内容決定処理の決定内容に基づき前記残余の画面を前記画像処理装置の表示手段に表示し、前記無線通信接続は、近距離無線通信による接続を含み、前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記画像処理装置は、前記無線通信接続が確立された際に前記携帯端末にて自動起動すべきアプリケーションである接続時起動アプリケーションを、予め指定する指定手段、をさらに備え、前記決定手段は、前記無線通信接続が確立された際に前記第１のアプリケーションと前記第２のアプリケーションとのいずれもが前記携帯端末にて起動されていない場合、前記接続時起動アプリケーションの指定内容に応じたアプリケーションを起動すべきことを決定するとともに、前記表示内容決定処理を行うか否かを判定し、前記第１のアプリケーションが前記接続時起動アプリケーションとして指定されている場合、前記表示内容決定処理を行うことを決定し、前記第２のアプリケーションが前記接続時起動アプリケーションとして指定されている場合、前記表示内容決定処理を行わないことを決定することを特徴とする。
【００２８】
請求項１０の発明は、携帯端末と通信可能な画像処理装置であって、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する表示制御手段と、前記表示内容決定処理にて前記携帯端末の表示手段における新たな表示内容として決定された画面に関する画面情報を前記携帯端末に送信する通信制御手段と、を備え、前記無線通信接続が確立された際に前記特定の表示手段において複数の画面が表示されている、と判定される場合、前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記通信制御手段は、前記表示内容決定処理の決定内容に基づき前記一部の画面に関する情報を前記画面情報として前記携帯端末に送信し、前記表示制御手段は、前記表示内容決定処理の決定内容に基づき前記残余の画面を前記画像処理装置の表示手段に表示し、前記無線通信接続は、近距離無線通信による接続を含み、前記決定手段は、前記近距離無線通信によって前記画像処理装置と前記携帯端末との接続が確立されたことを条件として、前記表示内容決定処理を行うことを決定し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記画像処理装置は、前記無線通信接続が確立された際に前記携帯端末にて自動起動すべきアプリケーションである接続時起動アプリケーションを、予め指定する指定手段、をさらに備え、前記無線通信接続が確立された際に前記第１のアプリケーションと前記第２のアプリケーションとの両アプリケーションのいずれもが前記携帯端末にて起動されておらず、且つ前記第１のアプリケーションが前記接続時起動アプリケーションとして指定されている場合、前記決定手段は、前記第１のアプリケーションを起動すべきこと及び前記表示内容決定処理を行うことを決定し、前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に単一の画面のみが表示されているときには、前記決定手段は、前記表示内容決定処理を行わないこと及び前記第２のアプリケーションを起動すべきことを決定し、前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に前記複数の画面が表示されているときには、前記表示制御手段は、前記表示内容決定処理を行うべきか否かを指定するための選択画面を前記画像処理装置の表示手段に表示し、前記表示内容決定処理を行うべきでない旨が前記選択画面に関するユーザ操作によって指定されると、前記決定手段は、前記第２のアプリケーションを起動すべきこと及び前記表示内容決定処理を行わないことを決定し、前記表示内容決定処理を行うべき旨が前記ユーザ操作によって指定されると、前記決定手段は、前記第２のアプリケーションが前記接続時起動アプリケーションとして指定されている場合であっても、前記第２のアプリケーションを起動せずに前記第１のアプリケーションを起動すべきこと及び前記表示内容決定処理を行うことを決定することを特徴とする。
【００３０】
請求項１１の発明は、携帯端末と通信可能な画像処理装置であって、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する表示制御手段と、前記表示内容決定処理にて前記携帯端末の表示手段における新たな表示内容として決定された画面に関する画面情報を前記携帯端末に送信する通信制御手段と、を備え、前記無線通信接続が確立された際に前記特定の表示手段において複数の画面が表示されている、と判定される場合、前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記通信制御手段は、前記表示内容決定処理の決定内容に基づき前記一部の画面に関する情報を前記画面情報として前記携帯端末に送信し、前記表示制御手段は、前記表示内容決定処理の決定内容に基づき前記残余の画面を前記画像処理装置の表示手段に表示し、前記決定手段は、前記無線通信接続が確立された際に前記特定の表示手段に前記複数の画面が重なって表示されている場合に、所定の種類の画面が前記複数の画面に含まれることを条件として、前記一部の画面を前記携帯端末の表示手段における新たな表示内容として決定するとともに、前記残余の画面を前記画像処理装置の表示手段における新たな表示内容として決定することを特徴とする。
【００３１】
請求項１２の発明は、携帯端末と通信可能な画像処理装置であって、前記携帯端末との無線通信接続を確立する通信手段と、前記画像処理装置の表示手段と前記携帯端末の表示手段との両表示手段のうちの特定の表示手段に表示されている画面の数に応じて前記両表示手段における新たな表示内容を決定する表示内容決定処理を行う決定手段と、前記表示内容決定処理の決定内容に基づき、前記画像処理装置の表示手段における表示内容を制御する表示制御手段と、前記表示内容決定処理にて前記携帯端末の表示手段における新たな表示内容として決定された画面に関する画面情報を前記携帯端末に送信する通信制御手段と、を備え、前記無線通信接続が確立された際に前記特定の表示手段において複数の画面が表示されている、と判定される場合、前記決定手段は、前記複数の画面のうちの一部の画面を前記携帯端末の表示手段における新たな表示内容として決定するとともに、前記複数の画面のうちの残余の画面を前記画像処理装置の表示手段における新たな表示内容として決定し、前記通信制御手段は、前記表示内容決定処理の決定内容に基づき前記一部の画面に関する情報を前記画面情報として前記携帯端末に送信し、前記表示制御手段は、前記表示内容決定処理の決定内容に基づき前記残余の画面を前記画像処理装置の表示手段に表示し、前記決定手段は、前記画像処理装置の表示手段の画面サイズと前記携帯端末の表示手段の画面サイズとを比較し、前記複数の画面のうち最も大きい表示サイズの画面を、前記画像処理装置と前記携帯端末とのうち比較的大きな画面サイズの表示手段を有する装置に表示することを決定することを特徴とする。
【００３２】
請求項１３の発明は、携帯端末と通信可能な画像処理装置に内蔵されたコンピュータに、ａ）前記画像処理装置の表示手段と前記携帯端末の表示手段との両表示手段のうちの特定の表示手段に表示されている画面の数を判定するステップと、ｂ）前記特定の表示手段に表示されている画面の数に応じて前記両表示手段における新たな表示内容を決定する表示内容決定処理を行うステップと、ｃ）前記表示内容決定処理にて前記携帯端末の表示手段における新たな表示内容として決定された画面に関する画面情報を前記携帯端末に送信するステップと、ｄ）前記表示内容決定処理の決定内容に基づき、前記画像処理装置の表示手段における表示内容を制御するステップと、を実行させるためのプログラムであって、前記画像処理装置と前記携帯端末との無線通信接続が確立された際に前記特定の表示手段に複数の画面が表示されている、と前記ステップａ）にて判定される場合、前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、前記ステップｃ）においては、前記表示内容決定処理の決定内容に基づき前記一部の画面に関する情報が前記画面情報として前記携帯端末に送信され、前記ステップｄ）においては、前記表示内容決定処理の決定内容に基づき前記残余の画面が前記画像処理装置の表示手段に表示され、前記無線通信接続は、近距離無線通信による接続を含み、前記ステップｂ）は、ｂ−１）前記近距離無線通信によって前記画像処理装置と前記携帯端末との接続が確立されたことを条件として、前記表示内容決定処理を行うことを決定するステップ、を有し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記プログラムは、ｅ）前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得するステップ、を前記コンピュータにさらに実行させ、前記ステップｂ−１）においては、前記無線通信接続が確立された際に前記第２のアプリケーションが前記携帯端末にて起動されていない旨が、前記ステップｅ）において前記携帯端末から取得された前記起動状態に基づき判定されることを条件に、前記表示内容決定処理を行うことが決定されることを特徴とする。
請求項１４の発明は、携帯端末と通信可能な画像処理装置に内蔵されたコンピュータに、ａ）前記画像処理装置の表示手段と前記携帯端末の表示手段との両表示手段のうちの特定の表示手段に表示されている画面の数を判定するステップと、ｂ）前記特定の表示手段に表示されている画面の数に応じて前記両表示手段における新たな表示内容を決定する表示内容決定処理を行うステップと、ｃ）前記表示内容決定処理にて前記携帯端末の表示手段における新たな表示内容として決定された画面に関する画面情報を前記携帯端末に送信するステップと、ｄ）前記表示内容決定処理の決定内容に基づき、前記画像処理装置の表示手段における表示内容を制御するステップと、を実行させるためのプログラムであって、前記画像処理装置と前記携帯端末との無線通信接続が確立された際に前記特定の表示手段に複数の画面が表示されている、と前記ステップａ）にて判定される場合、前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、前記ステップｃ）においては、前記表示内容決定処理の決定内容に基づき前記一部の画面に関する情報が前記画面情報として前記携帯端末に送信され、前記ステップｄ）においては、前記表示内容決定処理の決定内容に基づき前記残余の画面が前記画像処理装置の表示手段に表示され、前記無線通信接続は、近距離無線通信による接続を含み、前記ステップｂ）は、ｂ−１）前記近距離無線通信によって前記画像処理装置と前記携帯端末との接続が確立されたことを条件として、前記表示内容決定処理を行うことを決定するステップ、を有し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記プログラムは、ｅ）前記無線通信接続が確立された際に前記特定の表示手段としての前記画像処理装置の表示手段に前記複数の画面が表示されている場合、前記無線通信接続が確立された際における前記携帯端末でのアプリケーションの起動状態を前記携帯端末に問い合わせて取得するステップと、ｆ）前記無線通信接続が確立された際に前記第２のアプリケーションが前記携帯端末にて起動されている場合において、前記画像処理装置の表示手段に前記複数の画面が表示されているときには、前記表示内容決定処理を行うべきか否かを指定するための選択画面を前記画像処理装置の表示手段に表示するステップと、を前記コンピュータにさらに実行させ、前記ステップｂ−１）は、ｂ−１−１）前記表示内容決定処理を行うべきでない旨が前記選択画面に関するユーザ操作によって指定されると、前記第２のアプリケーションを起動すべきこと及び前記表示内容決定処理を行わないことを決定するステップと、ｂ−１−２）前記表示内容決定処理を行うべき旨が前記ユーザ操作によって指定されると、前記第２のアプリケーションが前記携帯端末にて起動されている場合であっても、前記第１のアプリケーションを起動すべきこと及び前記表示内容決定処理を行うことを決定するステップと、を有することを特徴とする。
請求項１５の発明は、携帯端末と通信可能な画像処理装置に内蔵されたコンピュータに、ａ）前記画像処理装置の表示手段と前記携帯端末の表示手段との両表示手段のうちの特定の表示手段に表示されている画面の数を判定するステップと、ｂ）前記特定の表示手段に表示されている画面の数に応じて前記両表示手段における新たな表示内容を決定する表示内容決定処理を行うステップと、ｃ）前記表示内容決定処理にて前記携帯端末の表示手段における新たな表示内容として決定された画面に関する画面情報を前記携帯端末に送信するステップと、ｄ）前記表示内容決定処理の決定内容に基づき、前記画像処理装置の表示手段における表示内容を制御するステップと、を実行させるためのプログラムであって、前記画像処理装置と前記携帯端末との無線通信接続が確立された際に前記特定の表示手段に複数の画面が表示されている、と前記ステップａ）にて判定される場合、前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、前記ステップｃ）においては、前記表示内容決定処理の決定内容に基づき前記一部の画面に関する情報が前記画面情報として前記携帯端末に送信され、前記ステップｄ）においては、前記表示内容決定処理の決定内容に基づき前記残余の画面が前記画像処理装置の表示手段に表示され、前記無線通信接続は、近距離無線通信による接続を含み、前記ステップｂ）は、ｂ−１）前記近距離無線通信によって前記画像処理装置と前記携帯端末との接続が確立されたことを条件として、前記表示内容決定処理を行うことを決定するステップ、を有し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記プログラムは、ｅ）前記無線通信接続が確立された際に前記携帯端末にて自動起動すべきアプリケーションである接続時起動アプリケーションを、予め指定するステップ、を前記コンピュータにさらに実行させ、前記ステップｂ−１）は、ｂ−１−１）前記無線通信接続が確立された際に前記第１のアプリケーションと前記第２のアプリケーションとのいずれもが前記携帯端末にて起動されていない場合、前記接続時起動アプリケーションの指定内容に応じたアプリケーションを起動すべきことを決定するとともに、前記表示内容決定処理を行うか否かを判定するステップ、を有し、前記ステップｂ−１−１）においては、前記第１のアプリケーションが前記接続時起動アプリケーションとして指定されている場合、前記表示内容決定処理を行うことが決定され、前記第２のアプリケーションが前記接続時起動アプリケーションとして指定されている場合、前記表示内容決定処理を行わないことが決定されることを特徴とする。
請求項１６の発明は、携帯端末と通信可能な画像処理装置に内蔵されたコンピュータに、ａ）前記画像処理装置の表示手段と前記携帯端末の表示手段との両表示手段のうちの特定の表示手段に表示されている画面の数を判定するステップと、ｂ）前記特定の表示手段に表示されている画面の数に応じて前記両表示手段における新たな表示内容を決定する表示内容決定処理を行うステップと、ｃ）前記表示内容決定処理にて前記携帯端末の表示手段における新たな表示内容として決定された画面に関する画面情報を前記携帯端末に送信するステップと、ｄ）前記表示内容決定処理の決定内容に基づき、前記画像処理装置の表示手段における表示内容を制御するステップと、を実行させるためのプログラムであって、前記画像処理装置と前記携帯端末との無線通信接続が確立された際に前記特定の表示手段に複数の画面が表示されている、と前記ステップａ）にて判定される場合、前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、前記ステップｃ）においては、前記表示内容決定処理の決定内容に基づき前記一部の画面に関する情報が前記画面情報として前記携帯端末に送信され、前記ステップｄ）においては、前記表示内容決定処理の決定内容に基づき前記残余の画面が前記画像処理装置の表示手段に表示され、前記無線通信接続は、近距離無線通信による接続を含み、前記ステップｂ）は、ｂ−１）前記近距離無線通信によって前記画像処理装置と前記携帯端末との接続が確立されたことを条件として、前記表示内容決定処理を行うことを決定するステップ、を有し、前記特定の表示手段は、前記画像処理装置の表示手段であり、前記携帯端末には、前記画像処理装置の表示手段に表示される操作画面を用いて前記画像処理装置を遠隔操作するための第１のアプリケーションと、前記操作画面とは異なる独自の画面をも用いて前記画像処理装置にジョブを実行させるための第２のアプリケーションとがインストールされており、前記表示内容決定処理にて前記携帯端末の表示手段における新たな表示内容として決定された画面は、前記第１のアプリケーションを用いて前記携帯端末の表示手段に表示され、前記プログラムは、ｅ）前記無線通信接続が確立された際に前記携帯端末にて自動起動すべきアプリケーションである接続時起動アプリケーションを、予め指定するステップ、を前記コンピュータにさらに実行させ、前記ステップｂ−１）は、ｂ−１−１）前記無線通信接続が確立された際に前記第１のアプリケーションと前記第２のアプリケーションとの両アプリケーションのいずれもが前記携帯端末にて起動されておらず、且つ前記第１のアプリケーションが前記接続時起動アプリケーションとして指定されている場合、前記第１のアプリケーションを起動すべきこと及び前記表示内容決定処理を行うことを決定するステップと、ｂ−１−２）前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に単一の画面のみが表示されているときには、前記表示内容決定処理を行わないこと及び前記第２のアプリケーションを起動すべきことを決定するステップと、を有し、前記プログラムは、ｆ）前記無線通信接続が確立された際に前記両アプリケーションのいずれもが前記携帯端末にて起動されておらず、且つ前記第２のアプリケーションが前記接続時起動アプリケーションとして指定されている場合において、前記画像処理装置の表示手段に前記複数の画面が表示されているときには、前記表示内容決定処理を行うべきか否かを指定するための選択画面を前記画像処理装置の表示手段に表示するステップ、を前記コンピュータにさらに実行させ、前記ステップｂ−１）は、ｂ−１−３）前記表示内容決定処理を行うべきでない旨が前記選択画面に関するユーザ操作によって指定されると、前記第２のアプリケーションを起動すべきこと及び前記表示内容決定処理を行わないことを決定するステップと、ｂ−１−４）前記表示内容決定処理を行うべき旨が前記ユーザ操作によって指定されると、前記第２のアプリケーションが前記接続時起動アプリケーションとして指定されている場合であっても、前記第２のアプリケーションを起動せずに前記第１のアプリケーションを起動すべきこと及び前記表示内容決定処理を行うことを決定するステップと、をさらに有することを特徴とする。
請求項１７の発明は、携帯端末と通信可能な画像処理装置に内蔵されたコンピュータに、ａ）前記画像処理装置の表示手段と前記携帯端末の表示手段との両表示手段のうちの特定の表示手段に表示されている画面の数を判定するステップと、ｂ）前記特定の表示手段に表示されている画面の数に応じて前記両表示手段における新たな表示内容を決定する表示内容決定処理を行うステップと、ｃ）前記表示内容決定処理にて前記携帯端末の表示手段における新たな表示内容として決定された画面に関する画面情報を前記携帯端末に送信するステップと、ｄ）前記表示内容決定処理の決定内容に基づき、前記画像処理装置の表示手段における表示内容を制御するステップと、を実行させるためのプログラムであって、前記画像処理装置と前記携帯端末との無線通信接続が確立された際に前記特定の表示手段に複数の画面が表示されている、と前記ステップａ）にて判定される場合、前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、前記ステップｃ）においては、前記表示内容決定処理の決定内容に基づき前記一部の画面に関する情報が前記画面情報として前記携帯端末に送信され、前記ステップｄ）においては、前記表示内容決定処理の決定内容に基づき前記残余の画面が前記画像処理装置の表示手段に表示され、前記ステップｂ）においては、前記無線通信接続が確立された際に前記特定の表示手段に前記複数の画面が重なって表示されている場合に、所定の種類の画面が前記複数の画面に含まれることを条件として、前記一部の画面が前記携帯端末の表示手段における新たな表示内容として決定されるとともに、前記残余の画面が前記画像処理装置の表示手段における新たな表示内容として決定されることを特徴とする。
請求項１８の発明は、携帯端末と通信可能な画像処理装置に内蔵されたコンピュータに、ａ）前記画像処理装置の表示手段と前記携帯端末の表示手段との両表示手段のうちの特定の表示手段に表示されている画面の数を判定するステップと、ｂ）前記特定の表示手段に表示されている画面の数に応じて前記両表示手段における新たな表示内容を決定する表示内容決定処理を行うステップと、ｃ）前記表示内容決定処理にて前記携帯端末の表示手段における新たな表示内容として決定された画面に関する画面情報を前記携帯端末に送信するステップと、ｄ）前記表示内容決定処理の決定内容に基づき、前記画像処理装置の表示手段における表示内容を制御するステップと、を実行させるためのプログラムであって、前記画像処理装置と前記携帯端末との無線通信接続が確立された際に前記特定の表示手段に複数の画面が表示されている、と前記ステップａ）にて判定される場合、前記ステップｂ）においては、前記複数の画面のうちの一部の画面が前記携帯端末の表示手段における新たな表示内容として決定されるとともに、前記複数の画面のうちの残余の画面が前記画像処理装置の表示手段における新たな表示内容として決定され、前記ステップｃ）においては、前記表示内容決定処理の決定内容に基づき前記一部の画面に関する情報が前記画面情報として前記携帯端末に送信され、前記ステップｄ）においては、前記表示内容決定処理の決定内容に基づき前記残余の画面が前記画像処理装置の表示手段に表示され、前記ステップｂ）は、ｂ−１）前記画像処理装置の表示手段の画面サイズと前記携帯端末の表示手段の画面サイズとを比較するステップと、ｂ−２）前記複数の画面のうち最も大きい表示サイズの画面を、前記画像処理装置と前記携帯端末とのうち比較的大きな画面サイズの表示手段を有する装置に表示することを決定するステップと、を有することを特徴とする。
【発明の効果】
【００３３】
請求項１から請求項１８に記載の発明によれば、画像処理装置と携帯端末との無線通信接続が確立された際に画像処理装置の表示手段と携帯端末の表示手段とのうちの特定の表示手段に複数の画面が表示されている場合、当該複数の画面のうちの一部の画面が携帯端末にて表示され、残余の画面が画像処理装置にて表示される。そのため、ユーザは、当該複数の画面のうちの一部の画面については携帯端末を用いて確認することができ、残余の画面については画像処理装置を用いて確認することができる。したがって、２台以上の携帯端末を準備できない場合であっても、画像処理装置の表示部と携帯端末の表示部とのうちの特定の表示部に複数の画面が表示される際におけるユーザの操作性の低下を回避することが可能である。
【図面の簡単な説明】
【００３７】
【図１】画像形成システムを示す図である。
【図２】画像形成装置（ＭＦＰ）の機能ブロックを示す図である。
【図３】携帯端末の概略構成を示す機能ブロック図である。
【図４】遠隔操作アプリケーションの初期画面を示す図である。
【図５】画像形成システムにおける動作等を示す概念図である。
【図６】ＭＦＰの動作を示すフローチャートである。
【図７】携帯端末の動作を示すフローチャートである。
【図８】画像形成システムにおける動作の一例を示すタイミングチャートである。
【図９】画像形成システムにおける動作の一例を示すタイミングチャートである。
【図１０】（ＭＦＰのタッチパネルにおける）印刷設定画面を示す図である。
【図１１】（携帯端末のタッチパネルにおける）印刷設定画面を示す図である。
【図１２】ＭＦＰのタッチパネルにおいて印刷設定画面にヘルプ画面が重畳して表示されている様子を示す図である。
【図１３】（携帯端末のタッチパネルにおける）ヘルプ画面を示す図である。
【図１４】携帯端末のタッチパネルにおいて印刷設定画面にヘルプ画面が重畳して表示されている様子を示す図である。
【図１５】第３実施形態に係るＭＦＰの動作を示すフローチャートである。
【図１６】表示内容決定処理の決定内容等を示す図を示す図である。
【図１７】ジョブ実行アプリケーションにおける印刷設定画面を示す図である。
【図１８】ジョブ実行アプリケーションにおけるスキャン設定画面を示す図である。
【図１９】第３実施形態の変形例に係る表示内容決定処理の決定内容等を示す図を示す図である。
【図２０】第４実施形態に係る表示内容決定処理の決定内容等を示す図を示す図である。
【図２１】選択画面を示す図である。
【図２２】選択画面を示す図である。
【図２３】ＭＦＰのタッチパネルにおいて印刷設定画面にテンキー画面が重畳している様子を示す図である。
【図２４】（携帯端末のタッチパネルにおける）テンキー画面を示す図である。
【発明を実施するための形態】
【００３８】
以下、本発明の実施形態を図面に基づいて説明する。
【００３９】
＜１．第１実施形態＞
＜１−１．構成概要＞
図１は、本発明に係る画像形成システム１を示す図である。図１に示すように、画像形成システム１は、画像形成装置１０と携帯端末５０とを備える。なお、画像形成装置１０は、画像処理装置とも称され、画像形成システム１は、画像処理システムとも称される。
【００４０】
画像形成装置１０と携帯端末５０とは、各種の無線通信技術を用いて互いに無線接続される。たとえば、画像形成装置１０と携帯端末５０との間の通信には、無線ＬＡＮ（IEEE 802.11等）による通信、および近距離無線通信が利用され得る。この実施形態では、Bluetooth（登録商標）の拡張規格であるＢＬＥ（Bluetooth Low Energy）に基づく通信（「ＢＬＥ通信」とも称する）が近距離無線通信として用いられる。なお、これに限定されず、ＮＦＣ（Near Field Communication）などが近距離無線通信として用いられてもよい。
【００４１】
また、携帯端末５０には、画像形成装置１０のタッチパネル２５に表示される操作画面（詳細には当該操作画面と同じ画面）を用いて当該画像形成装置１０を遠隔操作するためのアプリケーション（「遠隔操作アプリケーション」）Ｐ１が、画像形成装置１０との連携を伴う連携用アプリケーションとしてインストールされている。携帯端末５０は、当該遠隔操作アプリケーションＰ１を用いて画像形成装置１０（詳細には画像形成装置１０のタッチパネル２５）を操作（遠隔操作等）することが可能である。
【００４２】
当該遠隔操作アプリケーションＰ１を用いた画像形成装置１０の遠隔操作においては、画像形成装置１０のタッチパネル２５に表示される操作画面の画面データ（ビットマップ画像データ等）が携帯端末５０に送信される。携帯端末５０は、画像形成装置１０から受信した画面データに基づき当該操作画面（当該操作画面と同じ表示内容を有する画面）を遠隔操作画面（画像形成装置１０を遠隔操作するための画面）として携帯端末５０のタッチパネル７５に表示する。そして、携帯端末５０のタッチパネル７５に表示された遠隔操作画面に対するユーザの操作入力が受け付けられ、当該操作入力の位置情報（操作位置情報）が携帯端末５０から画像形成装置１０へと送信される。画像形成装置１０においては、携帯端末５０からの当該操作位置情報に基づく処理が実行される。そして、画像形成装置１０にて実行された処理に応じた新たな画面データが画像形成装置１０から携帯端末５０へと送信され、携帯端末５０は、画像形成装置１０からの当該新たな画面データに基づき新たな遠隔操作画面を携帯端末５０のタッチパネル７５に表示する。このような操作画面データの送受信と当該操作画面に対する操作入力とが繰り返されることによって、携帯端末５０を用いた画像形成装置１０の遠隔操作が行われる。
【００４３】
なお、携帯端末５０を用いて画像形成装置１０が遠隔操作されている場合、原則として、画像形成装置１０のタッチパネル２５には操作画面は表示されない。具体的には、携帯端末５０による画像形成装置１０の遠隔操作が開始されると、画像形成装置は、原則として、画像形成装置１０のタッチパネル２５に表示されていた操作画面に代えて、携帯端末５０による画像形成装置１０の遠隔操作中である旨を示す画面（不図示）を画像形成装置１０のタッチパネル２５に表示する。ただし、後述するように、ＢＬＥ通信を介して画像形成装置１０と携帯端末５０とが接続された際に画像形成装置１０のタッチパネル２５に複数の画面が表示されている場合には、画像形成装置１０は、操作画面を画像形成装置１０のタッチパネル２５に（引き続き）表示する。
【００４４】
また、遠隔操作アプリケーションＰ１の起動方法には、携帯端末５０にて起動ボタン（メニュー画面内のアプリ起動用のボタン）（不図示）を押下することによって起動する方法（第１の起動方法とも称する）と、携帯端末５０を画像形成装置１０に接近させることによって起動する方法（第２の起動方法）とが存在する。換言すれば、遠隔操作アプリケーションＰ１の起動方法には、ＢＬＥ通信を介さない起動方法（第１の起動方法）と、ＢＬＥ通信を介する起動方法（第２の起動方法）とが存在する。
【００４５】
第１の起動方法にて遠隔操作アプリケーションＰ１が起動されると、携帯端末５０を用いた画像形成装置１０の遠隔操作は、次のようにして開始される。
【００４６】
たとえば、遠隔操作アプリケーションＰ１の起動ボタン（不図示）がユーザによって押下されると、携帯端末５０は、当該押下操作に応じて遠隔操作アプリケーションＰ１を起動する。遠隔操作アプリケーションＰ１が携帯端末５０にて起動されると、携帯端末５０は、接続先の画像形成装置１０を指定する初期画面４００（図４参照）を携帯端末５０のタッチパネル７５に表示する。当該初期画面４００にて（所望の）画像形成装置１０のＩＰアドレスが入力欄４０２に入力されてＯＫボタン４０１が押下されると、携帯端末５０と画像形成装置１０との通信（無線ＬＡＮ通信）が確立され、無線ＬＡＮを介して携帯端末５０と画像形成装置１０とが接続される。そして、携帯端末５０による画像形成装置１０の遠隔操作が開始され、画像形成装置１０に表示されている操作画面に係る画面データが、画像形成装置１０から携帯端末５０へと送信される。
【００４７】
第２の起動方法にて遠隔操作アプリケーションＰ１が起動されると、携帯端末５０による画像形成装置１０の遠隔操作は、次のようにして開始される。
【００４８】
後述するように、ユーザが、画像形成装置１０における所定の位置（たとえば画像形成装置１０内におけるＢＬＥチップ４２の配置場所から所定距離の位置に設けられた載置部（不図示））に自身の携帯端末５０を近づけると、携帯端末５０は、画像形成装置１０に携帯端末５０が近接した旨を判定する。携帯端末５０が画像形成装置１０に近接した旨が判定されると、携帯端末５０と画像形成装置１０とのＢＬＥ通信が確立する。当該ＢＬＥ通信が確立されると、画像形成装置１０は、遠隔操作アプリケーションＰ１の起動指令および画像形成装置１０のＩＰアドレス等をＢＬＥ通信を介して携帯端末５０に送信する。携帯端末５０は、当該起動指令に応じて遠隔操作アプリケーションを起動する。そして、画像形成装置１０からのＩＰアドレスに基づき携帯端末５０と画像形成装置１０とが無線ＬＡＮを介して接続されると、携帯端末５０による画像形成装置１０の遠隔操作が開始されると、画像形成装置１０に表示されている操作画面に係る画面データが、画像形成装置１０から携帯端末５０へと送信される。
【００４９】
なお、携帯端末５０には、連携用アプリケーション（遠隔操作アプリケーションＰ１等）と画像形成装置１０とを接続するとともに当該連携用アプリケーションを起動するためのアプリケーション（「連携用ベースアプリケーションＰ０」とも称する）もがインストールされている。当該連携用ベースアプリケーションＰ０は、ＢＬＥ通信を介して遠隔操作アプリケーションＰ１の起動指令が画像形成装置１０から受信されると、当該起動指令に応じて遠隔操作アプリケーションＰ１を起動させることが可能である。
【００５０】
＜１−２．画像形成装置の構成＞
図２は、画像形成装置１０の機能ブロックを示す図である。ここでは、画像形成装置１０として、ＭＦＰ（マルチ・ファンクション・ペリフェラル（Multi-Functional Peripheral））を例示する。図２においては、ＭＦＰ１０の機能ブロックが示されている。
【００５１】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種の機能を実現する。
【００５２】
画像読取部２は、ＭＦＰ１０の所定の位置に載置された原稿を光学的に読み取って（すなわちスキャンして）、当該原稿の画像データ（原稿画像あるいはスキャン画像とも称する）を生成する処理部である。この画像読取部２は、スキャン部であるとも称される。
【００５３】
印刷出力部３は、印刷対象に関するデータに基づいて紙などの各種の媒体に画像を印刷出力する出力部である。
【００５４】
通信部４は、公衆回線等を介したファクシミリ通信を行うことが可能な処理部である。さらに、通信部４は、各種の無線通信（ＢＬＥによる無線通信等を含む）を行うことも可能である。具体的には、通信部４は、無線ＬＡＮ（IEEE 802.11等）による無線通信接続を行う無線ＬＡＮ通信部４ａと、ＢＬＥによる無線通信接続を確立するＢＬＥ通信部４ｂとを備える。ＭＦＰ１０には、ＢＬＥ通信部４ｂの一部または全部として機能するＢＬＥチップ４２（近距離無線通信用チップ（あるいは単に通信チップ）とも称される）が内蔵されている（図１も参照）。ＢＬＥチップ４２は、アドバタイジングデータ（Advertising Data）（ブロードキャスト送信される送信データ）をブロードキャスト送信（一斉同報送信）することが可能である。
【００５５】
格納部５は、ハードディスクドライブ（ＨＤＤ）等の記憶装置で構成される。
【００５６】
操作部６は、ＭＦＰ１０に対する操作入力を受け付ける操作入力部６ａと、各種情報の表示出力を行う表示部６ｂとを備えている。
【００５７】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００５８】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよい。あるいは、当該プログラムは、無線ＬＡＮ等を経由してダウンロードされてＭＦＰ１０にインストールされるようにしてもよい。
【００５９】
具体的には、図２に示すように、コントローラ９は、当該プログラムの実行により、通信制御部１１と入力制御部１２と表示制御部１３と画像生成部１４と判定部１５と決定部１６とを含む各種の処理部を実現する。
【００６０】
通信制御部１１は、他の装置（携帯端末５０等）との間の通信動作を通信部４等と協働して制御する処理部である。通信制御部１１は、各種データの送信動作を制御する送信制御部と各種データの受信動作を制御する受信制御部とを有する。たとえば、通信制御部１１は、ＭＦＰ１０のタッチパネル２５を操作（遠隔操作）するための遠隔操作画面の表示用画像（詳細にはその画面データ）等を携帯端末５０に送信する。また、通信制御部１１は、表示内容決定処理（後述）にて携帯端末５０のタッチパネル７５における新たな表示内容として決定された画面に関する画面情報（ここでは画面データ）を、当該遠隔操作画面に関する情報として携帯端末５０に送信する。たとえば、通信制御部１１は、ＢＬＥ通信を介してＭＦＰ１０と携帯端末５０とが接続された際にＭＦＰ１０のタッチパネル２５において複数の画面が表示されている場合、当該複数の画面のうちの一部の画面に係る画面データを、表示内容決定処理の決定内容として携帯端末５０に送信する。また、通信制御部１１は、携帯端末５０に表示された操作画面に対する操作者（ユーザ）からの操作入力に関する情報である操作入力情報を携帯端末５０から受信する。
【００６１】
入力制御部１２は、操作入力部６ａ（タッチパネル２５等）に対する操作入力動作を制御する制御部である。たとえば、入力制御部１２は、タッチパネル２５に表示された操作画面に対する操作入力を受け付ける動作を制御する。
【００６２】
決定部１６は、ＢＬＥ通信によってＭＦＰ１０と携帯端末５０とが接続されたことを条件として、ＭＦＰ１０のタッチパネル２５と携帯端末５０のタッチパネル７５との両タッチパネルにおける新たな表示内容を決定する処理（以下、「表示内容決定処理」とも称する）等を行う処理部である。具体的には、決定部１６は、基本的には、ＭＦＰ１０と携帯端末５０との無線通信接続（ここではＢＬＥ通信による接続）が確立された際にＭＦＰ１０のタッチパネル２５に表示されている画面（全体）を、携帯端末５０のタッチパネル７５における新たな表示内容として決定する。ただし、当該無線通信接続が確立された際にＭＦＰ１０のタッチパネル２５に複数の画面が表示されている、と判定される場合、決定部１６は、例外的に、当該複数の画面の一部の画面を携帯端末５０のタッチパネル７５における新たな表示内容として決定するとともに、残余の画面をＭＦＰ１０のタッチパネル２５における新たな表示内容として決定する。
【００６３】
表示制御部１３は、表示部６ｂ（タッチパネル２５等）についての表示制御を行う処理部である。たとえば、表示制御部１３は、ＭＦＰ１０を操作するための操作画面等をタッチパネル２５に表示させる。また、表示制御部１３は、表示内容決定処理の決定内容に基づき、ＭＦＰ１０のタッチパネル２５における表示内容を制御する。
【００６４】
画像生成部１４は、ＭＦＰ１０のタッチパネル２５における操作画面等を生成する処理部である。
【００６５】
判定部１５は、ＢＬＥ通信によってＭＦＰ１０と携帯端末５０との接続が確立された際におけるＭＦＰ１０のタッチパネル２５の画面構成状態を判定する動作等を制御する処理部である。具体的には、判定部１５は、ＢＬＥ通信による接続が確立された際にＭＦＰ１０のタッチパネル２５に複数の画面が表示されているか否か、を判定する。
【００６６】
＜１−３．携帯端末の構成＞
携帯端末５０は、ＭＦＰ１０との連携動作を行うことが可能な装置である。
【００６７】
携帯端末５０の構成について説明する。
【００６８】
携帯端末（外部端末）５０は、ＭＦＰ１０との間でのネットワーク通信が可能な情報入出力端末装置（情報端末）である。ここでは、携帯端末５０として、スマートフォンを例示する。ただし、これに限定されず、携帯端末５０は、タブレット型端末などであってもよい。
【００６９】
図３は携帯端末５０の概略構成を示す機能ブロック図である。
【００７０】
携帯端末５０は、図３の機能ブロック図に示すように、通信部５４、格納部５５、操作部５６およびコントローラ（制御部）５９等を備えており、これらの各部を複合的に動作させることによって、各種の機能を実現する。
【００７１】
通信部５４は、各種の無線通信（ＢＬＥによる無線通信等を含む）を行うことが可能である。具体的には、通信部５４は、無線ＬＡＮ（IEEE 802.11等）による無線通信を行う無線ＬＡＮ通信部５４ａと、ＢＬＥによる無線通信を行うＢＬＥ通信部５４ｂとを備える。ＢＬＥ通信部５４ｂは、ＭＦＰ１０に内蔵されたＢＬＥチップ４２からブロードキャスト送信されてくるアドバタイジングデータ（Advertising Data）を受信するとともに、そのデータ送信用電波の強度を測定する。
【００７２】
格納部５５は、不揮発性の半導体メモリ等の記憶装置で構成される。格納部５５には、ＭＦＰ１０から送信されてきた各種の画面データが一時的に格納される。たとえば、格納部５５には、操作画面（遠隔操作画面）の画面データ等が一時的に格納される。
【００７３】
操作部５６は、携帯端末５０に対する操作入力を受け付ける操作入力部５６ａと、各種情報の表示出力を行う表示部５６ｂとを備えている。この携帯端末５０においては、液晶表示パネルに各種センサ等が埋め込まれて構成されたタッチパネル７５（図１参照）が設けられている。このタッチパネル７５は、操作入力部５６ａの一部としても機能するとともに、表示部５６ｂの一部としても機能する。
【００７４】
図３のコントローラ（制御部）５９は、携帯端末５０に内蔵され、携帯端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介して携帯端末５０にインストールされてもよい。あるいは、当該プログラムは、無線ＬＡＮ等を経由してインストールされて携帯端末５０にインストールされるようにしてもよい。
【００７５】
具体的には、コントローラ５９は、当該プログラム等の実行により、通信制御部６１と入力制御部６２と表示制御部６３とを含む各種の処理部を実現する。
【００７６】
通信制御部６１は、通信部５４等と協働して、ＭＦＰ１０等との通信動作を制御する処理部である。たとえば、通信制御部６１は、操作入力情報（タッチパネル７５に表示された操作画面に対する操作者（ユーザ）からの操作入力に関する情報）をＭＦＰ１０に送信する。また、通信制御部６１は、携帯端末５０における操作画面（遠隔操作画面）に係る画面データをＭＦＰ１０から受信する。また、通信制御部６１は、表示内容決定処理にて携帯端末５０のタッチパネル７５における新たな表示内容として決定された画面に関する画面情報をもＭＦＰ１０から受信する。
【００７７】
入力制御部６２は、操作入力部５６ａ（タッチパネル７５等）に対する操作入力動作等を制御する制御部である。
【００７８】
表示制御部６３は、表示部５６ｂ（タッチパネル７５等）における表示動作を制御する処理部である。たとえば、表示制御部６３は、ＭＦＰ１０からの画面情報（表示内容決定処理にて携帯端末５０のタッチパネル７５における新たな表示内容として決定された画面に関する情報）に基づき、携帯端末５０のタッチパネル７５における表示内容を制御する。表示内容決定処理にて携帯端末５０のタッチパネル７５における新たな表示内容として決定された画面は、遠隔操作アプリケーションＰ１を用いて携帯端末５０のタッチパネル７５に表示される。
【００７９】
＜１−４．動作＞
図５は、画像形成システム１における動作等を示す概念図である。
【００８０】
この実施形態では、ＢＬＥ通信によってＭＦＰ１０と携帯端末５０との接続が確立された際にＭＦＰ１０のタッチパネル２５に複数の画面（たとえば印刷設定画面２１０とヘルプ画面２５０との２つの画面）が表示されている場合、当該複数の画面のうちの一部の画面（たとえばヘルプ画面２５０）が、携帯端末５０のタッチパネル７５における新たな表示内容として決定される。また、当該複数の画面のうち当該一部の画面（ヘルプ画面２５０）を除く残余の画面（たとえば印刷設定画面２１０）が、ＭＦＰ１０のタッチパネル２５における新たな表示内容として決定される。そして、当該一部の画面（ヘルプ画面２５０）が携帯端末５０のタッチパネル７５に表示されるとともに、当該残余の画面（印刷設定画面２１０）がＭＦＰ１０のタッチパネル２５に表示される（図５も参照）。
【００８１】
図６は、ＭＦＰ１０の動作を示すフローチャートであり、図７は、携帯端末５０の動作を示すフローチャートである。また、図８は、ＢＬＥ通信による接続が確立された際にＭＦＰ１０のタッチパネル２５に単一の画面のみが表示されている場合の画像形成システム１における動作例を示すタイミングチャートである。さらに、図９は、ＢＬＥ通信による接続が確立された際にＭＦＰ１０のタッチパネル２５に複数の画面が表示されている場合の画像形成システム１における動作例を示すタイミングチャートである。以下、当該図６〜図９等を参照しつつ説明する。
【００８２】
ここでは、ユーザが、ＭＦＰ１０の近傍の位置にてＭＦＰ１０のタッチパネル２５を（直接的に）操作しつつ、自身の携帯端末５０をＭＦＰ１０へと近づける。なお、ユーザが自身の携帯端末５０をＭＦＰ１０に近づける際、遠隔操作アプリケーションＰ１は携帯端末５０にて起動されていない。ただし、ユーザが自身の携帯端末５０をＭＦＰ１０に近づける際、連携用ベースアプリケーションＰ０は携帯端末５０にて既に起動されているものとする。
【００８３】
まず、ステップＳ５１（図７）においては、携帯端末５０は、ＭＦＰ１０に自装置（携帯端末５０）が近接したか否か、を判定する。
【００８４】
具体的には、この画像形成システム１において、ＭＦＰ１０は、ＢＬＥ通信用の電波（ＭＦＰ１０の周辺領域（たとえば数メートル以内）にのみ到達する電波）を微小時間間隔で常に発信している。携帯端末５０は、当該ＢＬＥ通信用の電波を受信するとともに、当該電波の強度を検出（測定）する。
【００８５】
たとえば、携帯端末５０の接近動作に伴って携帯端末５０がＭＦＰ１０に近づくにつれて（すなわち、携帯端末５０とＭＦＰ１０との距離が小さくなるにつれて）、携帯端末５０によって検出（測定）される電波の強度（ＭＦＰ１０内のＢＬＥチップ４２から送出されてくる電波の強度）は、増大する。逆に、携帯端末５０がＭＦＰ１０から遠ざかるにつれて（すなわち、携帯端末５０とＭＦＰ１０との距離が大きくなるにつれて）、携帯端末５０によって検出（測定）される電波の強度は、減少する。
【００８６】
このような性質を利用して、携帯端末５０（判定部１５）は、検出（測定）される電波の強度が所定の閾値を超える値へと変化（増大）すると、ＭＦＰ１０に自装置（携帯端末５０）が近接した旨を判定する。具体的には、携帯端末５０とＭＦＰ１０（より詳細にはＭＦＰ１０内におけるＢＬＥチップ４２の配置場所）との距離が所定の範囲（たとえば数十センチメートル）内の距離である旨が判定される。なお、携帯端末５０とＭＦＰ１０との距離が所定の距離（たとえば数十センチメートル）に近接したときの電波強度の値が予め測定され、その測定値が閾値として定められればよい。
【００８７】
このようにして、ＭＦＰ１０からのＢＬＥ通信用の電波の強度が所定の閾値よりも大きくなると、携帯端末５０は、ＭＦＰ１０に自装置（携帯端末５０）が近接した旨をステップＳ５１にて判定する（図８、図９も参照）。
【００８８】
そして、ＭＦＰ１０に携帯端末５０が近接した旨が携帯端末５０にて判定されると、ＭＦＰ１０と携帯端末５０とのＢＬＥ通信が確立されてＭＦＰ１０と携帯端末５０とが接続される（ステップＳ１１（図６），Ｓ５２（図７））（図８、図９も参照）。
【００８９】
ＢＬＥ通信を介してＭＦＰ１０と携帯端末５０とが接続されると、ＭＦＰ１０は、遠隔操作アプリケーションＰ１の起動指令を当該ＢＬＥ通信を介して携帯端末５０（詳細には携帯端末５０内の連携用ベースアプリケーションＰ０）に送信する（ステップＳ１２）。
【００９０】
携帯端末５０（詳細には連携用ベースアプリケーションＰ０）は、当該起動指令をＭＦＰ１０から受信する（ステップＳ５３）と、当該起動指令に応じて遠隔操作アプリケーションＰ１を起動する（ステップＳ５４）（図８、図９も参照）。
【００９１】
また、ＢＬＥ通信による接続が確立されると、ＭＦＰ１０は、ＭＦＰ１０のＩＰアドレス等をも当該ＢＬＥ通信を介して携帯端末５０に送信する。そして、ＭＦＰ１０からの当該ＩＰアドレス等に基づき、携帯端末５０とＭＦＰ１０との間で無線ＬＡＮによる接続が確立される（ステップＳ１３，Ｓ５５）。
【００９２】
遠隔操作アプリケーションＰ１が起動され且つ携帯端末５０とＭＦＰ１０との間で無線ＬＡＮによる接続が確立されると、携帯端末５０を用いたＭＦＰ１０の遠隔操作が開始される。そして、携帯端末５０は、ＭＦＰ１０からの画面データを待機する（ステップＳ５６）。
【００９３】
次のステップＳ１４，Ｓ１５，Ｓ１８（図６）においては、ＭＦＰ１０は、表示内容決定処理を行う。
【００９４】
具体的には、ＭＦＰ１０は、ＢＬＥ通信による接続が確立された際にＭＦＰ１０のタッチパネル２５に表示されている画面の数に応じて、ＭＦＰ１０のタッチパネル２５と携帯端末５０のタッチパネル７５との両タッチパネルにおける新たな表示内容を決定する。
【００９５】
詳細には、まず、ステップＳ１４において、ＭＦＰ１０（判定部１５）は、ＢＬＥ通信による接続が確立された際におけるＭＦＰ１０のタッチパネル２５の画面構成状態を判定する。より具体的には、ＭＦＰ１０（判定部１５）は、ＢＬＥ通信による接続が確立された際にＭＦＰ１０のタッチパネル２５に複数の画面が表示されているか否か、を判定する。
【００９６】
たとえば、ＢＬＥ通信によってＭＦＰ１０と携帯端末５０との接続が確立された際にＭＦＰ１０のタッチパネル２５に単一の画面のみが表示されている旨が、ステップＳ１４にて判定されると、処理はステップＳ１８へと進む。
【００９７】
図１０は、（ＭＦＰ１０のタッチパネル２５における）印刷設定画面２１０を示す図である。たとえば、ＢＬＥ通信による接続が確立された際に当該印刷設定画面２１０のみがＭＦＰ１０のタッチパネル２５に表示されている場合、ＭＦＰ１０は、ＭＦＰ１０のタッチパネル２５にて単一の画面のみが表示されている旨をステップＳ１４にて判定し、処理はステップＳ１８へと進む。
【００９８】
そして、ステップＳ１８においては、ＭＦＰ１０（決定部１６）は、ＭＦＰ１０のタッチパネル２５と携帯端末５０のタッチパネル７５との両タッチパネルにおける新たな表示内容を決定する。
【００９９】
具体的には、ＢＬＥ通信による接続が確立された際にＭＦＰ１０のタッチパネル２５に単一の画面のみが表示されている、と判定される場合、当該単一の画面（タッチパネル２５に表示されている表示画像全体）が、携帯端末５０のタッチパネル７５における新たな表示内容として決定される。たとえば、ＭＦＰ１０のタッチパネル２５に印刷設定画面２１０（図１０）のみが表示されている場合、当該印刷設定画面２１０が、携帯端末５０のタッチパネル７５における新たな表示内容として決定される。また、ＭＦＰ１０（決定部１６および表示制御部１３）は、携帯端末５０によるＭＦＰ１０の遠隔操作中である旨を示す画面（不図示）を、ＭＦＰ１０のタッチパネル２５における新たな表示内容として決定してＭＦＰ１０のタッチパネル２５に表示する。
【０１００】
ステップＳ１９においては、ＭＦＰ１０（通信制御部１１）は、表示内容決定処理にて携帯端末５０のタッチパネル７５における新たな表示内容として決定された画面に関する画面情報を携帯端末５０に送信する。具体的には、ＢＬＥ通信による接続が確立された際にＭＦＰ１０のタッチパネル２５に表示されていた当該単一の画面（ここでは印刷設定画面２１０）に係る画面データが生成され、当該画面データが当該画面情報として携帯端末５０に送信される（図８も参照）。
【０１０１】
携帯端末５０は、当該画面情報（ここでは画面データ）をＭＦＰ１０から受信する（ステップＳ５６）と、当該画面情報（画面データ）に基づき遠隔操作画面を携帯端末５０のタッチパネル７５に表示する（ステップＳ５７）。ここでは、印刷設定画面２１０に係る画面データがＭＦＰ１０から受信され、当該印刷設定画面２１０が遠隔操作画面として携帯端末５０のタッチパネル７５に表示される（図１１参照）。そして、携帯端末５０は、当該印刷設定画面２１０に対するユーザの操作入力を受け付け、当該操作入力の位置情報（操作入力情報）をＭＦＰ１０に送信する（図８も参照）。
【０１０２】
一方、ＢＬＥ通信によってＭＦＰ１０と携帯端末５０との接続が確立された際にＭＦＰ１０のタッチパネル２５に複数の画面が表示されている旨が、ステップＳ１４にて判定されると、処理はステップＳ１５へと進む。
【０１０３】
図１２は、ＭＦＰ１０のタッチパネル２５において印刷設定画面２１０（図１０）（詳細には当該印刷設定画面２１０の一部）にヘルプ画面２５０が重畳して表示されている様子を示す図である。当該印刷設定画面２１０には、ヘルプ画面２５０を表示するためのヘルプボタン２１１（図１０）が設けられており、当該ヘルプボタン２１１が押下されると、当該ヘルプ画面２５０が、印刷設定画面２１０に重畳して表示される（図１２参照）。
【０１０４】
たとえば、ＢＬＥ通信による接続が確立された際にＭＦＰ１０のタッチパネル２５に印刷設定画面２１０とヘルプ画面２５０との２つの画面が表示されている場合、ＭＦＰ１０は、ＭＦＰ１０のタッチパネル２５に複数の画面が表示されている旨をステップＳ１４にて判定する。そして、処理はステップＳ１５へと進む。具体的には、ＢＬＥ通信による接続が確立された際にＭＦＰ１０のタッチパネル２５に複数の画面が重なって表示されている場合に、ＭＦＰ１０のタッチパネル２５に複数の画面が表示されている旨がステップＳ１４にて判定され、処理はステップＳ１５へと進む。
【０１０５】
そして、ステップＳ１５においては、ＭＦＰ１０（決定部１６）は、ＭＦＰ１０のタッチパネル２５における新たな表示内容と携帯端末５０のタッチパネル７５における新たな表示内容とをそれぞれ決定する。
【０１０６】
具体的には、ＭＦＰ１０と携帯端末５０とがＢＬＥ通信を介して接続された際にＭＦＰ１０のタッチパネル２５に複数の画面が表示されている場合、ＭＦＰ１０（決定部１６）は、当該複数の画面をＭＦＰ１０向けの画面と携帯端末５０向けの画面とに（すなわち２つに）分離（分類）する。そして、ＭＦＰ１０（決定部１６）は、当該複数の画面のうちの一部の画面（ここではヘルプ画面２５０）を、携帯端末５０のタッチパネル７５における新たな表示内容として決定する。また、ＭＦＰ１０（決定部１６）は、当該複数の画面のうちの残余の画面（ここでは印刷設定画面２１０）を、ＭＦＰ１０のタッチパネル２５における新たな表示内容として決定する。
【０１０７】
ここにおいて、ＭＦＰ１０（決定部１６）は、ＭＦＰ１０のタッチパネル２５の画面サイズと携帯端末５０のタッチパネル７５の画面サイズとを考慮して両タッチパネルにおける新たな表示内容をそれぞれ決定する。具体的には、まず、ＭＦＰ１０は、ＭＦＰ１０のタッチパネル２５の画面サイズ（たとえば画面の面積）と携帯端末５０のタッチパネル７５の画面サイズ（画面の面積）とを比較する。そして、ＭＦＰ１０は、当該複数の画面（ここでは印刷設定画面２１０およびヘルプ画面２５０）のうち最も大きい表示サイズの画面を、ＭＦＰ１０と携帯端末５０とのうち比較的大きな画面サイズのタッチパネルを有する装置に表示することを決定する。ここでは、ＭＦＰ１０のタッチパネル２５の画面サイズは、携帯端末５０のタッチパネル７５の画面サイズよりも大きい。また、当該複数の画面（ここでは印刷設定画面２１０およびヘルプ画面２５０）のうち最も大きい表示サイズの画面は、印刷設定画面２１０である。そのため、ＭＦＰ１０が、印刷設定画面２１０の表示対象装置として決定される。換言すれば、携帯端末５０が、ヘルプ画面２５０の表示対象装置として決定される。なお、ここでは、両タッチパネル（２５，７５）画面サイズの比較に際して両タッチパネルの面積が画面サイズとして用いられる態様を例示したが、これに限定されず、両タッチパネルの対角線の長さ等が画面サイズとして用いられてもよい。
【０１０８】
そして、処理はステップＳ１６へと進む。
【０１０９】
ステップＳ１６においては、ＭＦＰ１０（通信制御部１１）は、当該複数の画面のうちの一部の画面（携帯端末５０のタッチパネル７５における新たな表示内容として決定された画面）に関する画面情報を、携帯端末５０に送信する（図９も参照）。ここでは、ヘルプ画面２５０に係る画面データが生成され、当該画面データが当該画面情報としてＭＦＰ１０から携帯端末５０に送信される。
【０１１０】
携帯端末５０は、当該画面データをＭＦＰ１０から受信する（ステップＳ５６）と、当該画面データに基づく画面を、遠隔操作アプリケーションＰ１を用いた遠隔操作画面として携帯端末５０のタッチパネル７５に表示する（ステップＳ５７）（図９も参照）。ここでは、ヘルプ画面２５０に係る画面データがＭＦＰ１０から受信され、当該ヘルプ画面２５０が携帯端末５０のタッチパネル７５に表示される（図１３参照）。
【０１１１】
また、ＭＦＰ１０（表示制御部１３）は、複数の画面のうちの残余の画面（表示内容決定処理にてＭＦＰ１０のタッチパネル２５における新たな表示内容として決定された画面）を、ＭＦＰ１０のタッチパネル２５に表示する（ステップＳ１７）（図９も参照）。ここでは、当該複数の画面のうち、ヘルプ画面２５０を除く残余の画面である印刷設定画面２１０（図１０）がＭＦＰ１０のタッチパネル２５に表示される。そして、ＭＦＰ１０は、当該印刷設定画面２１０に対するユーザの操作入力を受け付ける。
【０１１２】
なお、携帯端末５０のタッチパネル７５に表示された当該一部の画面を非表示にする指示が受け付けられると、遠隔操作アプリケーションＰ１を用いたＭＦＰ１０の遠隔操作は終了する。たとえば、ヘルプ画面２５０内の「閉じる」ボタン２５１（図１３）が押下されると、当該遠隔操作アプリケーションＰ１を用いたＭＦＰ１０の遠隔操作は終了する。ただし、これに限定されず、携帯端末５０のタッチパネル７５に表示された当該一部の画面を非表示にする指示が受け付けられると、携帯端末５０によるＭＦＰ１０の遠隔操作が引き続き行われてもよい。たとえば、ヘルプ画面２５０内の「閉じる」ボタン２５１（図１３）が押下されると、当該遠隔操作が続行され、印刷設定画面２１０（図１０）に係る画面データがＭＦＰ１０から携帯端末５０に送信されて、当該印刷設定画面２１０（図１１）が携帯端末５０のタッチパネル７５に表示されるようにしてもよい。
【０１１３】
以上のように、第１実施形態に係る動作においては、ＢＬＥ通信による接続が確立された際にＭＦＰ１０のタッチパネル２５に複数の画面が表示されている場合、当該複数の画面のうちの一部の画面（ここではヘルプ画面２５０）が携帯端末５０にて表示され、残余の画面（ここでは印刷設定画面２１０）がＭＦＰ１０にて表示される。そのため、ユーザは、複数の画面のうちの一部の画面（ここではヘルプ画面２５０）については自身の携帯端末５０のタッチパネル７５を用いて確認（視認）することができ、残余の画面（印刷設定画面２１０）についてはＭＦＰ１０のタッチパネル２５を用いて確認（視認）することができる。したがって、２台以上の携帯端末５０を準備できない場合であっても、ＭＦＰ１０のタッチパネル２５に複数の画面が表示される際におけるユーザの操作性の低下を回避することが可能である。
【０１１４】
また、近距離無線通信（ここではＢＬＥ通信）によってＭＦＰ１０と携帯端末５０との接続が確立されたことを条件として、表示内容決定処理を行うことが決定される。したがって、携帯端末５０のユーザがＭＦＰ１０の近傍に居ることを確認した上で表示内容決定処理を行うことが可能である。
【０１１５】
また、当該複数の画面（ここでは２つの画面）がＭＦＰ１０と１台の携帯端末５０とに分かれて表示されるので、ユーザは、自身の携帯端末５０を一方の手（たとえば左手）で所持（携帯）しつつ、他方の手（たとえば右手）でＭＦＰ１０のタッチパネル２５を操作することができる。したがって、ユーザは、（２台の携帯端末を所持しつつ各携帯端末のタッチパネルを操作する場合に比べて）高い操作性を得ることが可能である。
【０１１６】
＜２．第２実施形態＞
第２実施形態は、第１実施形態の変形例である。以下では、第１実施形態との相違点を中心に説明する。
【０１１７】
第１実施形態では、ＢＬＥ通信を介してＭＦＰ１０と携帯端末５０とが接続された際に「ＭＦＰ１０のタッチパネル２５」に複数の画面が表示されている場合に、表示内容決定処理が行われる態様を例示した。
【０１１８】
この第２実施形態では、ＢＬＥ通信を介してＭＦＰ１０と携帯端末５０とが接続された際に「携帯端末５０のタッチパネル７５」に複数の画面が表示されている場合に、表示内容決定処理が行われる態様を例示する。
【０１１９】
なお、この第２実施形態においては、携帯端末５０を用いたＭＦＰ１０の遠隔操作は既に開始されており、ＭＦＰ１０と携帯端末５０との間で操作画面データの授受等が既に行われている。たとえば、遠隔操作アプリケーションＰ１が携帯端末５０にて起動され、初期画面４００（図４）にてＭＦＰ１０のＩＰアドレスが入力されると、ＭＦＰ１０と携帯端末５０とが無線ＬＡＮを介して接続される。ＭＦＰ１０と携帯端末５０とが無線ＬＡＮを介して接続されると、携帯端末５０を用いたＭＦＰ１０の遠隔操作が開始され、ＭＦＰ１０のタッチパネル２５に表示されている操作画面の画面データがＭＦＰ１０から携帯端末５０へと送信される。第２実施形態では、このようにして遠隔操作アプリケーションＰ１が携帯端末５０にて既に起動されて携帯端末５０によるＭＦＰ１０の遠隔操作が既に開始されている際にユーザが自身の携帯端末５０をＭＦＰ１０に近づける状況を想定する。
【０１２０】
第２実施形態においても、第１実施形態と同様に図６の各処理がそれぞれ行われる。ただし、第２実施形態では、ユーザが携帯端末５０をＭＦＰ１０に接近させる前において携帯端末５０にて遠隔操作アプリケーションＰ１が既に起動されているためステップＳ１２の処理は実行されない。また、ＭＦＰ１０と携帯端末５０とが無線ＬＡＮを介して既に接続されて携帯端末５０によるＭＦＰ１０の遠隔操作が開始されているため、ステップＳ１３の処理も実行されない。
【０１２１】
ユーザが自身の携帯端末５０をＭＦＰ１０に近づけたことによってＭＦＰ１０に携帯端末５０が近接した旨が判定され、ＭＦＰ１０と携帯端末５０とのＢＬＥ通信による接続が確立される（ステップＳ１１）と、ＭＦＰ１０（判定部１５）は、携帯端末５０のタッチパネル７５に複数の画面が表示されているか否か、を判定する（ステップＳ１４）。
【０１２２】
具体的には、ＭＦＰ１０と携帯端末５０との間での操作画面データの授受が既に開始されているため、ＭＦＰ１０は、携帯端末５０に送信した画面データの内容を知得している。そして、ＭＦＰ１０（判定部１５）は、ＭＦＰ１０からの画面データに基づき携帯端末５０のタッチパネル７５に表示されている画面の画面構成状態を判定する。
【０１２３】
たとえば、ＢＬＥ通信による接続が確立された際に図１１の印刷設定画面２１０が携帯端末５０のタッチパネル７５に表示されている場合、ＭＦＰ１０（判定部１５）は、携帯端末５０のタッチパネル７５に単一の画面のみが表示されている旨を判定し、処理はステップＳ１８へと進む。そして、ＭＦＰ１０（決定部１６）は、当該単一の画面（印刷設定画面２１０）を携帯端末５０における新たな表示内容として（そのまま）決定する（ステップＳ１８）。換言すれば、ＢＬＥ通信を介してＭＦＰ１０と携帯端末５０とが接続される前に携帯端末５０のタッチパネル７５に表示されていた画面（ここでは印刷設定画面２１０）が、携帯端末５０における新たな表示内容として引き続き決定される。また、ＭＦＰ１０（決定部１６および表示制御部１３）は、携帯端末５０によるＭＦＰ１０の遠隔操作中である旨を示す画面（不図示）を、ＭＦＰ１０のタッチパネル２５における新たな表示内容として決定してＭＦＰ１０のタッチパネル２５に引き続き表示する。なお、当該印刷設定画面２１０に係る画面データは、ＭＦＰ１０から携帯端末５０に既に送信されて携帯端末５０のタッチパネル７５にて表示されているため、当該印刷設定画面２１０に係る画面データは再送信されない（ステップＳ１９の処理は行われない）。
【０１２４】
一方、たとえば、ＢＬＥ通信による接続が確立された際に印刷設定画面２１０とヘルプ画面２５０との２つの画面が携帯端末５０のタッチパネル７５に表示されている場合（図１４参照）、ＭＦＰ１０（判定部１５）は、携帯端末５０のタッチパネル７５に複数の画面が表示されている旨を判定する。そして、処理はステップＳ１５へと進み、ＭＦＰ１０（表示制御部１３）は、当該複数の画面のうちの一部の画面（たとえばヘルプ画面２５０）を携帯端末５０における表示内容として決定するとともに、残余の画面（たとえば印刷設定画面２１０）をＭＦＰ１０における表示内容として決定する。
【０１２５】
そして、当該一部の画面（ヘルプ画面２５０（図１４））に係る画面データがＭＦＰ１０から携帯端末５０へと送信され（ステップＳ１６）、携帯端末５０は、ＭＦＰ１０からの画面データに基づき当該一部の画面（ヘルプ画面２５０（図１３））をタッチパネル７５に表示する。一方、ＭＦＰ１０においては、当該複数の画面のうち当該一部の画面を除く残余の画面（ここでは印刷設定画面２１０）がＭＦＰ１０のタッチパネル２５に表示される（ステップＳ１７）（図１０参照）。
【０１２６】
このように、第２実施形態に係る動作においては、ＢＬＥ通信による接続が確立された際に携帯端末５０のタッチパネル７５に複数の画面が表示されている場合、当該複数の画面のうちの一部の画面（ここではヘルプ画面２５０）が携帯端末５０にて表示され、残余の画面（ここでは印刷設定画面２１０）がＭＦＰ１０にて表示される。そのため、ユーザは、複数の画面のうちの一部の画面（ここではヘルプ画面２５０）については自身の携帯端末５０のタッチパネル７５を用いて確認（視認）することができ、残余の画面（印刷設定画面２１０）についてはＭＦＰ１０のタッチパネル２５を用いて確認（視認）することができる。したがって、２台以上の携帯端末５０を準備できない場合であっても、携帯端末５０のタッチパネル７５に複数の画面が表示される際におけるユーザの操作性の低下を回避することが可能である。
【０１２７】
また、近距離無線通信（ここではＢＬＥ通信）によってＭＦＰ１０と携帯端末５０とが接続されたことを条件として、表示内容決定処理を行うことが決定される。したがって、携帯端末５０のユーザがＭＦＰ１０の近傍に居ることを確認した上で表示内容決定処理を行うことが可能である。
【０１２８】
また、当該複数の画面（ここでは２つの画面）がＭＦＰ１０と１台の携帯端末５０とを用いて表示されるので、ユーザは、自身の携帯端末５０を一方の手（たとえば左手）で所持（携帯）しつつ、他方の手（たとえば右手）でＭＦＰ１０のタッチパネル２５を操作することができる。したがって、ユーザは、（２台の携帯端末を所持しつつ各携帯端末のタッチパネルを操作する場合に比べて）高い操作性を得ることが可能である。
【０１２９】
＜３．第３実施形態＞
第３実施形態は、第１実施形態の変形例である。以下では、第１実施形態との相違点を中心に説明する。
【０１３０】
この第３実施形態では、携帯端末５０におけるアプリケーションの起動状態に基づき、表示内容決定処理を行うか否かが判定される。
【０１３１】
また、この第３実施形態では、ＭＦＰ１０における接続時起動アプリケーション（後述）の設定内容に応じて、表示内容決定処理を行うか否かが判定される。
【０１３２】
＜ジョブ実行アプリケーションについて＞
この携帯端末５０には、遠隔操作アプリケーションＰ１に加えて、「ジョブ実行アプリケーション」Ｐ２も、ＭＦＰ１０との連携を伴う連携用アプリケーションとしてインストールされている。すなわち、携帯端末５０には、遠隔操作アプリケーションＰ１とジョブ実行アプリケーションＰ２との２種類の連携用アプリケーションがインストールされている。
【０１３３】
ジョブ実行アプリケーションＰ２は、ＭＦＰ１０のタッチパネル２５に表示される操作画面とは異なる独自の画面をも用いてＭＦＰ１０にジョブを実行させるためのアプリケーションである。具体的には、ジョブ実行アプリケーションＰ２には、ＭＦＰ１０の操作画面とは異なる独自の画面が予め準備されており、ジョブ実行アプリケーションＰ２における独自の表示画面を用いて各種ジョブの設定され、当該ジョブが携帯端末５０からＭＦＰ１０へと送信される。
【０１３４】
たとえば、ジョブ実行アプリケーションＰ２には、プリントジョブにおける独自の設定画面として、図１７のような印刷設定画面５１０が予め準備されており、ユーザは、携帯端末５０のタッチパネル７５に表示された当該印刷設定画面５１０において、プリントジョブに関する所望の設定内容を設定する。そして、ユーザの所望のＭＦＰ１０が指定されたＭＦＰ１０と携帯端末５０との間で無線ＬＡＮによる接続が確立された後、当該印刷設定画面５１０内の印刷開始ボタン５１１がユーザによって押下されると、プリントジョブが携帯端末５０からＭＦＰ１０へと送信され、ＭＦＰ１０にて当該プリントジョブが実行される。
【０１３５】
また、ジョブ実行アプリケーションＰ２においては、ユーザは、自身の携帯端末５０をＭＦＰ１０に近づけることによって、各種ジョブの実行指示をＭＦＰ１０に（自動的に）付与することも可能である。たとえば、当該印刷設定画面５１０（図１７）にて印刷設定が行われた後、ユーザは、（ＭＦＰ１０と携帯端末５０との無線ＬＡＮによる接続が確立されていない状態で）自身の携帯端末５０をＭＦＰ１０に近づける。携帯端末５０がＭＦＰ１０に近接したことに応じて携帯端末５０とＭＦＰ１０との間でＢＬＥ通信が確立され、両者が無線ＬＡＮを介して接続されると、プリントジョブが携帯端末５０からＭＦＰ１０へと送信される。そして、ＭＦＰ１０にて携帯端末５０からのプリントジョブが実行される。
【０１３６】
＜接続時起動アプリケーションについて＞
また、この第３実施形態においては、「接続時起動アプリケーション」（次述）が管理者（あるいは携帯端末５０のユーザ）等によって予め指定（設定）される。なお、第３実施形態におけるＭＦＰ１０のコントローラ９は、当該「接続時起動アプリケーション」を指定する指定部をさらに有している。
【０１３７】
接続時起動アプリケーションは、（両連携用アプリケーションＰ１，Ｐ２のいずれもが携帯端末５０にて起動されていない状態で）ＭＦＰ１０と携帯端末５０とのＢＬＥ通信による接続が確立された際に携帯端末５０にて自動起動すべきアプリケーションである。
【０１３８】
ＭＦＰ１０においては、２種類の連携用アプリケーションＰ１，Ｐ２のいずれもが携帯端末５０にて起動されていない状態でユーザが自身の携帯端末５０をＭＦＰ１０に接近させ、ＭＦＰ１０と携帯端末５０とのＢＬＥ通信による接続が確立されると、接続時起動アプリケーションとして予め指定されたアプリケーションの起動指令がＢＬＥ通信を介して携帯端末５０へと送信される。なお、当該ＢＬＥ通信の確立の際に連携用ベースアプリケーションＰ０は携帯端末５０にて既に起動されており、当該連携用ベースアプリケーションＰ０は、当該起動指令に基づいて両連携用アプリケーションＰ１，Ｐ２のいずれかを起動する。
【０１３９】
たとえば、遠隔操作アプリケーションＰ１が接続時起動アプリケーションとして予め指定されている場合において、ＢＬＥ通信による接続が確立された際に両連携用アプリケーションＰ１，Ｐ２が携帯端末５０にて起動されていないときには、遠隔操作アプリケーションＰ１の起動指令がＭＦＰ１０から携帯端末５０へと送信される。そして、当該起動指令に応じて、遠隔操作アプリケーションＰ１が携帯端末５０にて起動される。
【０１４０】
一方、ジョブ実行アプリケーションＰ２が接続時起動アプリケーションとして予め指定されている場合において、ＢＬＥ通信による接続が確立された際に両連携用アプリケーションＰ１，Ｐ２が携帯端末５０にて起動されていないときには、ジョブ実行アプリケーションＰ２の起動指令がＭＦＰ１０から携帯端末５０へと送信される。そして、当該起動指令に応じて、ジョブ実行アプリケーションＰ２が携帯端末５０にて起動される。
【０１４１】
このように、遠隔操作アプリケーションＰ１とジョブ実行アプリケーションＰ２とのいずれもが携帯端末５０にて起動されていない状態でＭＦＰ１０と携帯端末５０とが接続された場合、接続時起動アプリケーションの指定内容に応じたアプリケーションの起動指令が、ＭＦＰ１０から携帯端末５０へと送信される。そして、当該起動指令に応じて、接続時起動アプリケーションとして予め指定されたアプリケーションが携帯端末５０にて起動される。
【０１４２】
＜第３実施形態に係る動作＞
図１５は、第３実施形態に係るＭＦＰ１０の動作を示すフローチャートである。図１５を参照しつつ、第３実施形態に係る動作を説明する。
【０１４３】
図１５に示すように、第３実施形態では、ステップＳ１１とステップＳ１２との間において、携帯端末５０における連携用アプリケーションＰ１，Ｐ２の起動状態の判定処理（ステップＳ２１）と接続時起動アプリケーションの設定内容に関する判定処理（ステップＳ２２）とが行われる。
【０１４４】
具体的には、ユーザが自身の携帯端末５０をＭＦＰ１０に近づけ、ＭＦＰ１０と携帯端末５０とのＢＬＥ通信による接続が確立される（ステップＳ１１）と、ＭＦＰ１０（判定部１５）は、ＢＬＥ通信による接続が確立された際における携帯端末５０での連携用アプリケーションＰ１，Ｐ２の起動状態を判定する（ステップＳ２１）。
【０１４５】
詳細には、ＢＬＥ通信によってＭＦＰ１０と携帯端末５０との接続が確立されると、ＭＦＰ１０は、携帯端末５０に対して、連携用アプリケーションＰ１，Ｐ２の起動状態を問い合わせる。携帯端末５０は、ＭＦＰ１０からの問い合わせに応じて、連携用アプリケーションＰ１，Ｐ２の起動状態をＭＦＰ１０に送信（返信）する。そして、ＭＦＰ１０は、当該ＢＬＥ通信による接続が確立された際における携帯端末５０での連携用アプリケーションＰ１，Ｐ２の起動状態を取得する。
【０１４６】
たとえば、ＢＬＥ通信による接続が確立された際に遠隔操作アプリケーションＰ１が携帯端末５０にて起動されている場合、携帯端末５０は、遠隔操作アプリケーションＰ１の起動状態を携帯端末５０が有する旨をＭＦＰ１０に送信する。また、当該ＢＬＥ通信による接続が確立された際にジョブ実行アプリケーションＰ２が携帯端末５０にて起動されている場合、携帯端末５０は、ジョブ実行アプリケーションＰ２の起動状態を携帯端末５０が有する旨をＭＦＰ１０に送信する。さらに、当該ＢＬＥ通信による接続が確立された際に両連携用アプリケーションＰ１，Ｐ２のいずれもが携帯端末５０に起動されていない場合、携帯端末５０は、連携用アプリケーションＰ１，Ｐ２の非起動状態を携帯端末５０が有する旨をＭＦＰ１０に送信する。
【０１４７】
そして、ＭＦＰ１０は、携帯端末５０からの問合せ結果に基づき、携帯端末５０における連携用アプリケーションＰ１，Ｐ２の起動状態をステップＳ２１にて判定し、携帯端末５０から取得された当該起動状態に基づき、表示内容決定処理を行うか否かを決定する。
【０１４８】
図１６は、表示内容決定処理の決定内容等を示す図である。以下、（１）ジョブ実行アプリケーションＰ２の起動状態を携帯端末５０が有する場合と、（２）遠隔操作アプリケーションＰ１の起動状態を携帯端末５０が有する場合と、（３）連携用アプリケーションＰ１，Ｐ２の非起動状態を携帯端末５０が有する場合とに分けて説明する。
【０１４９】
（１）たとえば、ＢＬＥ通信によってＭＦＰ１０と携帯端末５０との接続が確立された際にジョブ実行アプリケーションＰ２が携帯端末５０にて起動されている場合、表示内容決定処理は行われず、図１５の処理は終了する（図１６の「ジョブ実行アプリＰ２起動中」の欄参照）。
【０１５０】
具体的には、当該ＢＬＥ通信による接続が確立された際に携帯端末５０にてジョブ実行アプリケーションＰ２が既に起動されている場合、ＭＦＰ１０は、表示内容決定処理を行わないことを決定するとともに、当該ジョブ実行アプリケーションＰ２を引き続き利用すべきことを決定する。たとえば、ジョブ実行アプリケーションＰ２が起動された状態でＭＦＰ１０に携帯端末５０が近接している場合、ユーザによる携帯端末５０のＭＦＰ１０への接近動作は、ジョブ実行アプリケーションＰ２を用いてジョブをＭＦＰ１０にて実行させるための動作である旨が判定される。そして、遠隔操作アプリケーションＰ１を用いたＭＦＰ１０の遠隔操作を行わない旨が決定され、ジョブ実行アプリケーションＰ２を引き続き利用すべき旨が決定される。携帯端末５０においては、当該ジョブ実行アプリケーションＰ２の起動状態が維持される。なお、ジョブ実行アプリケーションＰ２に関する処理は、図１５のフローチャートとは別ルーチンで実行される。
【０１５１】
（２）また、ＢＬＥ通信による接続が確立された際に遠隔操作アプリケーションＰ１が携帯端末５０にて起動され且つ遠隔操作が開始される前である場合、処理はステップＳ２１からステップＳ１４へと進み、表示内容決定処理が行われる（図１６の「遠隔操作アプリＰ１起動中（遠隔操作開始前）」の欄参照）。
【０１５２】
具体的には、ＢＬＥ通信による接続が確立された際に遠隔操作アプリケーションＰ１が携帯端末５０にて起動されており且つ携帯端末５０によるＭＦＰ１０の遠隔操作が未だ開始されていない旨が、ステップＳ２１にて判定されると、ステップＳ２２，Ｓ１２を行うことなく、処理はステップＳ２１からステップＳ１３へと進む。
【０１５３】
詳細には、遠隔操作アプリケーションＰ１自体は携帯端末５０にて起動されている場合であっても、携帯端末５０によるＭＦＰ１０の遠隔操作が未だ開始されていないときには、ＭＦＰ１０のタッチパネル２５においては操作画面が表示されている。たとえば、上述のように、携帯端末５０において遠隔操作アプリケーションＰ１の起動ボタンが押下されて遠隔操作アプリケーションＰ１が起動されると、ＭＦＰ１０のＩＰアドレスを入力するための初期画面４００（図４）が携帯端末５０のタッチパネル７５に表示される。この時点では、遠隔操作アプリケーションＰ１自体は携帯端末５０にて起動されているものの、携帯端末５０とＭＦＰ１０との無線ＬＡＮ接続は未だ確立されておらず、ＭＦＰ１０のタッチパネル２５に表示されている操作画面に係る画面データは携帯端末５０へと未だ送信されていない。ＢＬＥ通信による接続が確立された際に当該初期画面４００が携帯端末５０にて表示されている場合、ステップＳ２２，Ｓ１２は行われず、処理はステップＳ１４へと進む。すなわち、遠隔操作アプリケーションＰ１自体は既に携帯端末５０にて起動されているため、後述の接続時起動アプリケーションの設定内容に関する判定処理（ステップＳ２２）および遠隔操作アプリケーションＰ１の起動指令の送信処理（ステップＳ１２）は行われない。
【０１５４】
そして、処理はステップＳ１３以降へと進み、ＭＦＰ１０と携帯端末５０との間で無線ＬＡＮによる接続が確立されると、表示内容決定処理（ステップＳ１４，Ｓ１５，Ｓ１８）がＭＦＰ１０にて行われる。なお、ステップＳ１４以降の処理は、第１実施形態と同様である。
【０１５５】
たとえば、ＢＬＥ通信による接続が確立された際にＭＦＰ１０のタッチパネル２５に単一の画面のみが表示されている場合、当該単一の画面が携帯端末５０のタッチパネル７５における新たな表示内容として決定され（ステップＳ１８）、当該単一の画面に係る画面データがＭＦＰ１０から携帯端末５０へと送信される（ステップＳ１９）。また、ＢＬＥ通信による接続が確立された際にＭＦＰ１０のタッチパネル２５に複数の画面が表示されている場合、当該複数の画面のうちの一部の画面が携帯端末５０における新たな表示内容として決定され（ステップＳ１５）、当該一部の画面に係る画面データがＭＦＰ１０から携帯端末５０へと送信される（ステップＳ１６）。
【０１５６】
なお、ＢＬＥ通信による接続が確立された際に携帯端末５０によるＭＦＰ１０の遠隔操作が既に開始されている場合は、第２実施形態のように、携帯端末５０のタッチパネル７５における画面構成状態に応じてＭＦＰ１０のタッチパネル２５と携帯端末５０のタッチパネル７５との両タッチパネル２５における表示内容が決定される。
【０１５７】
このように、ＢＬＥ通信による接続が確立された際に遠隔操作アプリケーションＰ１が携帯端末５０にて起動されている場合、ＭＦＰ１０（決定部１６）は、ＭＦＰ１０のタッチパネル２５における画面構成状態あるいは携帯端末５０のタッチパネル７５における画面構成状態に基づく表示内容決定処理を行うことを決定する。換言すれば、ＢＬＥ通信による接続が確立された際にジョブ実行アプリケーションＰ２が携帯端末５０にて起動されていない、と判定されることを条件に、ＭＦＰ１０（決定部１６）は、表示内容決定処理を行うことを決定する。
【０１５８】
（３）さらに、ＢＬＥ通信によってＭＦＰ１０と携帯端末５０との接続が確立された際に両連携用アプリケーションＰ１，Ｐ２のいずれもが携帯端末５０にて起動されていない場合、処理はステップＳ２１からステップＳ２２へと進む。
【０１５９】
ステップＳ２２においては、ＭＦＰ１０（決定部１６）は、接続時起動アプリケーションの指定内容に応じたアプリケーションを起動すべきことを決定するとともに、表示内容決定処理を行うか否かを決定する。具体的には、遠隔操作アプリケーションＰ１とジョブ実行アプリケーションＰ２とのいずれが接続時起動アプリケーションとして指定されているかが判定され、接続時起動アプリケーションの指定内容に応じて、表示内容決定処理を行うか否かが判定される。
【０１６０】
たとえば、ジョブ実行アプリケーションＰ２が接続時起動アプリケーションとして指定されている場合、表示内容決定処理は行われず、図１５の処理は終了する（図１６の「接続時起動アプリ＝ジョブ実行アプリＰ２」の欄参照）。
【０１６１】
具体的には、ジョブ実行アプリケーションＰ２が接続時起動アプリケーションとして指定されている場合、ＭＦＰ１０（決定部１６）は、指定内容に従ってジョブ実行アプリケーションＰ２を起動すべきこと及び表示内容決定処理を行わないことを決定し、図１５の処理は終了する。そして、接続時起動アプリケーションの指定内容に従って、ジョブ実行アプリケーションＰ２の起動指令が携帯端末５０へと送信され、当該ジョブ実行アプリケーションＰ２が携帯端末５０にて起動される。
【０１６２】
また、遠隔操作アプリケーションＰ１が接続時起動アプリケーションとして指定されている場合、ＭＦＰ１０（決定部１６）は、指定内容に従って遠隔操作アプリケーションＰ１を起動すべきこと及び表示内容決定処理を行うことを決定し（図１６の「接続時起動アプリ＝遠隔操作アプリＰ１」の欄参照）、処理はステップＳ１２へと進む。そして、接続時起動アプリケーションの指定内容に従って遠隔操作アプリケーションＰ１の起動指令がＭＦＰ１０から携帯端末５０へと送信され（ステップＳ１２）、当該遠隔操作アプリケーションＰ１が携帯端末５０にて起動される。
【０１６３】
さらに、処理はステップＳ１３以降へと進み、ＭＦＰ１０と携帯端末５０との間で無線ＬＡＮによる接続が確立されると、表示内容決定処理（ステップＳ１４，Ｓ１５，Ｓ１８）がＭＦＰ１０にて行われる。なお、ステップＳ１４以降の処理は、第１実施形態と同様である。
【０１６４】
このように、第３実施形態においては、ＢＬＥ通信による接続が確立された際における携帯端末５０での連携用アプリケーションＰ１，Ｐ２の起動状態が判定される。そして、ＢＬＥ通信による接続が確立された際にジョブ実行アプリケーションＰ２が携帯端末５０にて起動されていない、と判定されることを条件に、表示内容決定処理を行うことが決定される。そのため、ＢＬＥ通信による接続が確立された際にジョブ実行アプリケーションＰ２が携帯端末５０にて既に起動されている場合、遠隔操作アプリケーションＰ１が起動されて表示内容決定処理の決定内容が携帯端末５０にて表示されることがない。その結果、ユーザは、携帯端末５０にて起動中のジョブ実行アプリケーションＰ２の利用を邪魔されることなく、当該ジョブ実行アプリケーションＰ２を引き続き利用することができる。したがって、ユーザの意図に反する動作が行われることを回避することが可能である。
【０１６５】
また、ジョブ実行アプリケーションＰ２が接続時起動アプリケーションとして指定されている場合、表示内容決定処理は行われない。したがって、ジョブ実行アプリケーションＰ２が接続時起動アプリケーションとして指定されている場合に表示内容決定処理の決定内容が携帯端末５０のタッチパネル７５に表示されることがないので、ジョブ実行アプリケーションＰ２の利用を邪魔する動作が行われることを回避することが可能である。
【０１６６】
＜第３実施形態の変形例＞
なお、上記第３実施形態においては、ジョブ実行アプリケーションＰ２が携帯端末５０にて起動されている場合、ＭＦＰ１０にて表示内容決定処理は行われない態様を例示したが、これに限定されない。たとえば、ジョブ実行アプリケーションＰ２が携帯端末５０にて起動されている場合であっても、特定の状況においては、例外的に、遠隔操作アプリケーションＰ１が起動され、表示内容決定処理が行われてもよい。
【０１６７】
図１９は、第３実施形態の変形例に係る表示内容決定処理の決定内容等を示す図である。また、図１８は、ジョブ実行アプリケーションＰ２におけるスキャン設定画面５２０を示す図である。
【０１６８】
ジョブ実行アプリケーションＰ２においては、当該スキャン設定画面５２０にてスキャン設定がなされ、ＭＦＰ１０の原稿台（自動給紙装置（ＡＤＦ：Auto Document Feeder ）等）に原稿が載置された後、スキャン開始ボタン５２１が押下されると、原稿台に載置された原稿に対するスキャン動作が開始される。また、当該スキャンジョブは、スキャン開始ボタン５２１が押下されたときのみならず、スキャン設定画面５２０にてスキャン設定がなされた後、原稿台に原稿が載置された状態で携帯端末５０がＭＦＰ１０に近接した旨が判定されたときにも開始される。
【０１６９】
ＭＦＰ１０（決定部１６）は、ＢＬＥ通信を介してＭＦＰ１０と携帯端末５０とが接続された際にジョブ実行アプリケーションＰ２が携帯端末５０にて起動されている旨がステップＳ２１にて判定された場合、原則として、表示内容決定処理を行わないことを決定する（図１６の「ジョブ実行アプリ起動中」の欄参照）。
【０１７０】
ただし、ジョブ実行アプリケーションＰ２が携帯端末５０にて起動されている場合であっても、特定の状況においては、例外的に、表示内容決定処理を行うことが決定される（図１９の「表示画面＝スキャン設定画面」の欄参照）。具体的には、ＢＬＥ通信を介してＭＦＰ１０と携帯端末５０とが接続された際にジョブ実行アプリケーションＰ２が携帯端末５０にて起動されている場合であっても、当該ジョブ実行アプリケーションＰ２におけるスキャン設定画面５２０が携帯端末５０にて表示され且つ複数の画面がＭＦＰ１０にて表示されているときには、原稿台に原稿が載置されていないことを条件として、例外的に、表示内容決定処理が行われる。
【０１７１】
より詳細には、ＢＬＥ通信を介してＭＦＰ１０と携帯端末５０とが接続された際にジョブ実行アプリケーションＰ２が携帯端末５０にて起動されている旨がステップＳ２１にて判定された場合、ＭＦＰ１０は、起動中のジョブ実行アプリケーションＰ２にて表示されている画面を携帯端末５０に問い合わせて取得する。
【０１７２】
たとえば、ジョブ実行アプリケーションＰ２におけるスキャン設定画面５２０（図１８）が携帯端末５０のタッチパネル７５に表示されている場合において、ＭＦＰ１０のタッチパネル２５に単一の画面のみが表示されているときには、ＭＦＰ１０は、原則通り、表示内容決定処理を行わない旨を決定し、当該ジョブ実行アプリケーションＰ２を引き続き利用すべき旨を決定する。そして、携帯端末５０において、当該ジョブ実行アプリケーションＰ２の起動状態が維持される。
【０１７３】
また、ジョブ実行アプリケーションＰ２におけるスキャン設定画面５２０が携帯端末５０のタッチパネル７５に表示されている場合において、ＭＦＰ１０のタッチパネル２５に複数の画面が表示されているときには、ＭＦＰ１０は、ＭＦＰ１０における原稿の載置状態をも考慮して、表示内容決定処理を行うか否かを決定する。
【０１７４】
ここにおいて、上述のように、ジョブ実行アプリケーションＰ２においては、スキャン設定画面５２０にてスキャン設定がなされた後、携帯端末５０がＭＦＰ１０に近接した旨が判定された場合、原稿台に原稿が載置されていることを条件に、スキャンジョブが携帯端末５０からＭＦＰ１０へと送信される。換言すれば、携帯端末５０がＭＦＰ１０に近接した旨が判定された場合であっても、原稿台に原稿が載置されていないときには、スキャンジョブは携帯端末５０からＭＦＰ１０へと送信されない。
【０１７５】
たとえば、ＭＦＰ１０のタッチパネル２５に複数の画面が表示されている場合において、原稿台に原稿が載置されているときには、ＭＦＰ１０は、原則通り、表示内容決定処理を行わない旨を決定する。詳細には、ジョブ実行アプリケーションＰ２におけるスキャン設定画面５２０が携帯端末５０のタッチパネル７５に表示され且つ原稿台に原稿が載置されている場合、ＭＦＰ１０は、ジョブ実行アプリケーションＰ２を用いてスキャンジョブをＭＦＰ１０にて実行させたいとユーザが考えている、と判定する。そして、ジョブ実行アプリケーションＰ２を引き続き利用すべき旨が決定され、当該ジョブ実行アプリケーションＰ２を用いたスキャンジョブが実行されて原稿台の原稿に対するスキャン動作が開始される。
【０１７６】
一方、ＭＦＰ１０のタッチパネル２５に複数の画面が表示されている場合において、原稿台に原稿が載置されていないときには、ＭＦＰ１０は、例外的に、遠隔操作アプリケーションＰ１を起動して表示内容決定処理を行う旨を決定する（図１９の「表示画面＝スキャン設定画面」の欄参照）。たとえば、ジョブ実行アプリケーションＰ２におけるスキャン設定画面５２０が携帯端末５０のタッチパネル７５に表示されている場合であっても、原稿台に原稿が載置されていないときには、ＭＦＰ１０は、スキャンジョブの実行が直ちに開始される状態でない旨を判定し、表示内容決定処理の実行を許容する。換言すれば、ユーザの処理が、ジョブ実行アプリケーションＰ２におけるスキャンジョブの実行指示を付与する段階に未だ至っていない旨が判定され、表示内容決定処理の実行が許容される。そして、当該複数の画面のうちの一部の画面が携帯端末５０における新たな表示内容として決定され、当該一部の画面（表示内容決定処理の決定内容）が携帯端末５０にて表示される。
【０１７７】
このように、携帯端末５０にてジョブ実行アプリケーションＰ２が起動されている場合であっても、スキャン設定画面５２０が携帯端末５０のタッチパネル７５に表示され且つＭＦＰ１０のタッチパネル２５に複数の画面が表示されているときには、原稿台に原稿が載置されていないことを条件として、例外的に、表示内容決定処理が行われてもよい。
【０１７８】
＜４．第４実施形態＞
第４実施形態は、第３実施形態の変形例である。以下では、第３実施形態との相違点を中心に説明する。
【０１７９】
さて、ＢＬＥ通信による接続が確立された際にジョブ実行アプリケーションＰ２が携帯端末５０にて起動されている場合であっても、ＭＦＰ１０のタッチパネル２５に複数の画面が表示されているときには、ユーザが、当該複数の画面の一部を自身の携帯端末５０に表示させたいと考えることもある。
【０１８０】
しかしながら、上記第３実施形態では、ＢＬＥ通信による接続が確立された際に携帯端末５０にてジョブ実行アプリケーションＰ２が起動されている場合、ＭＦＰ１０のタッチパネル２５における画面構成状態にかかわらず、常に、表示内容決定処理は行われない（図１６も参照）。そのため、仮にユーザが、ＭＦＰ１０に表示されている複数の画面のうちの一部の画面を自身の携帯端末５０に表示させたいと考えている場合であっても、表示内容決定処理は行われず、当該一部の画面はユーザの携帯端末５０に表示されない。
【０１８１】
そこで、この第４実施形態では、ＢＬＥ通信による接続が確立された際に携帯端末５０にてジョブ実行アプリケーションＰ２が起動されている場合において、ＭＦＰ１０のタッチパネル２５に複数の画面が表示されているときには、表示内容決定処理を行うべきか否かをユーザに指定させる。そして、表示内容決定処理を行うべき旨が指定されると、ジョブ実行アプリケーションＰ２が携帯端末５０にて起動している場合であっても、遠隔操作アプリケーションＰ１を起動すべきこと及び表示内容決定処理を行うことが決定される。
【０１８２】
また、ＢＬＥ通信による接続が確立された際に両連携用アプリケーションＰ１，Ｐ２のいずれもが携帯端末５０にて起動されておらず、且つジョブ実行アプリケーションＰ２が接続時起動アプリケーションとして指定されている場合であっても、ユーザが、ＭＦＰ１０に現在表示されている複数の画面の一部を自身の携帯端末５０に表示させたいと考えることもある。
【０１８３】
しかしながら、上記第３実施形態では、ＢＬＥ通信による接続が確立された際に両連携用アプリケーションＰ１，Ｐ２のいずれもが携帯端末５０にて起動されておらず、且つジョブ実行アプリケーションＰ２が接続時起動アプリケーションとして指定されている場合、常に、表示内容決定処理は行われない（図１６も参照）。そのため、仮にユーザが、ＭＦＰ１０に表示されている複数の画面のうちの一部の画面を自身の携帯端末５０に表示させたいと考えている場合であっても、表示内容決定処理は行われず、当該一部の画面はユーザの携帯端末５０に表示されない。
【０１８４】
そこで、この第４実施形態では、ＢＬＥ通信による接続が確立された際に両連携用アプリケーションＰ１，Ｐ２のいずれも携帯端末５０にて起動されておらず、且つジョブ実行アプリケーションＰ２が接続時起動アプリケーションとして指定されている場合であっても、ＭＦＰ１０のタッチパネル２５に複数の画面が表示されているときには、表示内容決定処理を行うべきか否かをユーザに指定させる。そして、表示内容決定処理を行うべき旨が指定されると、ジョブ実行アプリケーションＰ２が接続時起動アプリケーションとして予め指定されている場合であっても、遠隔操作アプリケーションＰ１を起動すべきこと及び表示内容決定処理を行うことが決定される。
【０１８５】
図２０は、第４実施形態に係る表示内容決定処理の決定内容等を示す図である。
【０１８６】
まず、ＢＬＥ通信によってＭＦＰ１０と携帯端末５０との接続が確立された際に携帯端末５０にてジョブ実行アプリケーションＰ２が起動されている場合（図２０の「ジョブ実行アプリＰ２起動中」の欄参照）について、説明する。
【０１８７】
たとえば、ＢＬＥ通信による接続が確立された際にジョブ実行アプリケーションＰ２が携帯端末５０にて起動されている場合において、ＭＦＰ１０のタッチパネル２５に単一の画面のみが表示されているときには、表示内容決定処理を行わないこと及びジョブ実行アプリケーションＰ２を引き続き利用すべきことが決定される。
【０１８８】
一方、ＢＬＥ通信による接続が確立された際にジョブ実行アプリケーションＰ２が携帯端末５０にて起動されている場合において、ＭＦＰ１０のタッチパネル２５に複数の画面が表示されているときには、ＭＦＰ１０（表示制御部１３）は、選択画面３１０（図２１参照）をＭＦＰ１０のタッチパネル２５に表示する（図２０の「ジョブ実行アプリ起動中」の欄も参照）。
【０１８９】
図２１は、表示内容決定処理を行うべき否かを指定するための選択画面３１０を示す図である。図２１に示すように、当該選択画面３１０には、「ジョブ実行アプリの起動状態を維持しますか？パネルアプリを起動しますか？」などのメッセージが表示される。また、当該選択画面３１０には、ジョブ実行アプリケーションＰ２の起動状態の維持を指示する指示ボタン３１１と、遠隔操作アプリケーションＰ１の起動を指示する指示ボタン３１２とが設けられている。当該指示ボタン３１２は、起動すべき連携用アプリケーションをジョブ実行アプリケーションＰ２から遠隔操作アプリケーションＰ１に切り換えるべき旨を指示する切換指示ボタンでもある。
【０１９０】
たとえば、指示ボタン３１１が当該選択画面３１０にてユーザによって選択（押下）されると、表示内容決定処理を行うべきでない旨が指定されたと判定される。表示内容決定処理を行うべきでない旨が当該選択画面３１０に関するユーザ操作によって指定されると、携帯端末５０において、ジョブ実行アプリケーションＰ２の起動状態が維持される。すなわち、選択画面３１０にて指示ボタン３１１が押下されると、ＭＦＰ１０（決定部１６）は、表示内容決定処理を行わないこと及びジョブ実行アプリケーションＰ２を引き続き利用すべきことを決定する。
【０１９１】
一方、指示ボタン３１２が当該選択画面３１０にてユーザによって選択（押下）されると、ＭＦＰ１０は、遠隔操作アプリケーションＰ１の起動指令を携帯端末５０に送信し、携帯端末５０は、起動中のジョブ実行アプリケーションＰ２を終了するとともに、遠隔操作アプリケーションＰ１を起動する。換言すれば、選択画面３１０にて指示ボタン３１２が押下されると、表示内容決定処理を行うべき旨が当該選択画面３１０に関するユーザ操作によって指定されたと判定され、遠隔操作アプリケーションＰ１を起動すべきこと及び表示内容決定処理を行うことが決定される。すなわち、携帯端末５０にて起動すべき連携用アプリケーションをジョブ実行アプリケーションＰ２から遠隔操作アプリケーションＰ１に切り換えるべき旨が決定される。そして、ＭＦＰ１０においては、遠隔操作アプリケーションＰ１の起動指令が携帯端末５０へと送信され（ステップＳ１２）、表示内容決定処理が行われて（ステップＳ１４，Ｓ１５）、ＭＦＰ１０のタッチパネル２５に表示されている複数の画面がＭＦＰ１０用と携帯端末５０用とに分離される。
【０１９２】
このように、ＢＬＥ通信を介してＭＦＰ１０と携帯端末５０とが接続された際にジョブ実行アプリケーションＰ２が携帯端末５０にて起動されている場合において、ＭＦＰ１０のタッチパネル２５に複数の画面が表示されているときには、表示内容決定処理を行うべきか否かをユーザに指定させる。そして、表示内容決定処理を行うべき旨が指定されると、ジョブ実行アプリケーションＰ２が携帯端末５０にて起動されている場合であっても、ＭＦＰ１０は、遠隔操作アプリケーションＰ１を起動すべきこと及び表示内容決定処理を行うことを決定する。
【０１９３】
これによれば、ＢＬＥ通信を介してＭＦＰ１０と携帯端末５０とが接続された際にジョブ実行アプリケーションＰ２が携帯端末５０にて起動されている場合であっても、ＭＦＰ１０にて複数の画面が表示されているときには、携帯端末５０をＭＦＰ１０に近づけたユーザの意図が確認される。したがって、ユーザの意図を確認した上で、ユーザの意図に沿った動作を行うことが可能である。
【０１９４】
つぎに、ＢＬＥ通信によってＭＦＰ１０と携帯端末５０との接続が確立された際に両連携用アプリケーションＰ１，Ｐ２のいずれもが携帯端末５０にて起動されていない場合（図２０の「連携用アプリ非起動」の欄参照）について、以下に説明する。
【０１９５】
たとえば、接続時起動アプリケーションとして遠隔操作アプリケーションＰ１が予め指定されている場合、第３実施形態と同様に、ＭＦＰ１０（決定部１６）は、遠隔操作アプリケーションＰ１を起動すべきこと及び表示内容決定処理を行うことを決定する。
【０１９６】
また、接続時起動アプリケーションとしてジョブ実行アプリケーションＰ２が予め指定されている場合において、ＭＦＰ１０のタッチパネル２５に単一の画面のみが表示されているときには、ＭＦＰ１０（決定部１６）は、ジョブ実行アプリケーションＰ２を起動すべきこと及び表示内容決定処理を行わないことを決定する。
【０１９７】
一方、接続時起動アプリケーションとしてジョブ実行アプリケーションＰ２が予め指定されている場合において、ＭＦＰ１０のタッチパネル２５に複数の画面が表示されているときには、ＭＦＰ１０（表示制御部１３）は、選択画面３２０（図２２参照）をＭＦＰ１０のタッチパネル２５に表示する。
【０１９８】
図２２は、表示内容決定処理を行うべきか否かを指定するための選択画面３２０を示す図である。図２２に示すように、当該選択画面３２０には、「起動するアプリケーションを選択してください。」などのメッセージが表示されるとともに、ジョブ実行アプリケーションＰ２の起動を指示する指示ボタン３２１と、遠隔操作アプリケーションＰ１の起動を指示する指示ボタン３２２とが設けられている。指示ボタン３２１は、接続時起動アプリケーションの指定内容に従ってジョブ実行アプリケーションＰ２を起動すべき旨を指示するボタンである。指示ボタン３２２は、接続時起動アプリケーションとして指定されているジョブ実行アプリケーションＰ２に代えて遠隔操作アプリケーションＰ１を起動すべき旨を指示するボタンである。
【０１９９】
たとえば、指示ボタン３２１が当該選択画面３２０にてユーザによって選択（押下）されると、表示内容決定処理を行うべきでない旨が指定されたと判定される。表示内容決定処理を行うべきでない旨が当該選択画面３２０に関するユーザ操作によって指定されると、ＭＦＰ１０（決定部１６）は、ジョブ実行アプリケーションＰ２を起動すべきこと及び表示内容決定処理を行わないことを決定する。そして、ＭＦＰ１０は、ジョブ実行アプリケーションＰ２の起動指令を携帯端末５０に送信し、携帯端末５０は、当該起動指令に応じてジョブ実行アプリケーションＰ２を起動する。
【０２００】
一方、指示ボタン３２２がユーザによって選択（押下）されると、表示内容決定処理を行うべき旨が指定されたと判定される。表示内容決定処理を行うべき旨が当該選択画面３２０に関するユーザ操作によって指定されると、ＭＦＰ１０（決定部１６）は、ジョブ実行アプリケーションＰ２が接続時起動アプリケーションとして指定されている場合であっても、当該ジョブ実行アプリケーションＰ２を起動せずに遠隔操作アプリケーションＰ１を起動すべきこと及び表示内容決定処理を行うことを決定する。そして、ＭＦＰ１０は、遠隔操作アプリケーションＰ１の起動指令を携帯端末５０に送信し、携帯端末５０は、当該起動指令に応じて遠隔操作アプリケーションＰ１を起動する。遠隔操作アプリケーションＰ１が起動されると、ＭＦＰ１０において、表示内容決定処理が行われ、ＭＦＰ１０のタッチパネル２５に表示されている複数の画面がＭＦＰ１０用と携帯端末５０用とに分離される。
【０２０１】
このように、ＢＬＥ通信による接続が確立された際に両連携用アプリケーションＰ１，Ｐ２のいずれもが携帯端末５０にて起動されておらず、且つジョブ実行アプリケーションＰ２が接続時起動アプリケーションとして指定されている場合において、ＭＦＰ１０のタッチパネル２５に複数の画面が表示されているときには、表示内容決定処理を行うべきか否かをユーザに指定させる。そして、表示内容決定処理を行うべき旨が指定されると、ジョブ実行アプリケーションＰ２が接続時起動アプリケーションとして指定されている場合であっても、ジョブ実行アプリケーションＰ２を起動せずに遠隔操作アプリケーションＰ１を起動すべきこと及び表示内容決定処理を行うことが決定される。
【０２０２】
これによれば、ジョブ実行アプリケーションＰ２が接続時起動アプリケーションとして指定されている場合であっても、ＢＬＥ通信を介してＭＦＰ１０と携帯端末５０とが接続された際にＭＦＰ１０にて複数の画面が表示されているときには、携帯端末５０をＭＦＰ１０に近づけたユーザの意図が確認される。詳細には、ＭＦＰ１０のタッチパネル２５に表示されている複数の画面の分離動作（遠隔操作アプリケーションＰ１の利用動作）とジョブ実行アプリケーションＰ２の利用動作とのいずれを優先させるか、がユーザに確認される。したがって、ユーザの意図に沿った動作を行うことが可能である。
【０２０３】
＜５．変形例等＞
以上、この発明の実施の形態について説明したが、この発明は上記内容のものに限定されるものではない。
【０２０４】
たとえば、上記各実施形態等においては、携帯端末５０によるＭＦＰ１０の遠隔操作が開始されると、（原則として）ＭＦＰ１０のタッチパネル２５において操作画面が非表示化される態様を例示した。しかしながら、本発明はこれに限定されず、当該遠隔操作の開始後であっても、ＢＬＥ通信を介して当該遠隔操作が開始されたときには、ＭＦＰ１０のタッチパネル２５に操作画面が引き続き表示されてもよい（下記第１の変形例参照）。あるいは、当該遠隔操作が開始されると、常に、ＭＦＰ１０のタッチパネル２５に操作画面が引き続き表示されるようにしてもよい（下記第２の変形例参照）。
【０２０５】
＜第１の変形例＞
以下、遠隔操作の開始後であっても、ＢＬＥ通信を介して当該遠隔操作が開始されたときには、ＭＦＰ１０のタッチパネル２５に操作画面が引き続き表示される態様を第１の変形例として例示する。
【０２０６】
具体的には、ＢＬＥ通信を介してＭＦＰ１０と携帯端末５０とが接続された際にＭＦＰ１０のタッチパネル２５に単一の画面（たとえば印刷設定画面２１０）のみが表示されている場合（第１実施形態等も参照）、ＭＦＰ１０は、当該単一の画面を、携帯端末５０およびＭＦＰ１０における新たな表示内容としてそれぞれ決定する。そして、当該単一の画面（たとえば印刷設定画面２１０）が、携帯端末５０のタッチパネル７５に表示される（図１１参照）とともに、ＭＦＰ１０のタッチパネル２５にも表示される（図１０参照）。なお、ＢＬＥ通信を介してＭＦＰ１０と携帯端末５０とが接続された際にＭＦＰ１０のタッチパネル２５に複数の画面が表示されている場合は、上記第１実施形態と同様に、当該複数の画面のうちの一部の画面が携帯端末５０にて表示され、残余の画面がＭＦＰ１０にて表示される。
【０２０７】
また、遠隔操作の開始後において、ＢＬＥ通信を介してＭＦＰ１０と携帯端末５０とが接続された際に携帯端末５０のタッチパネル７５に単一の画面（たとえば印刷設定画面２１０）のみが表示されている場合（第２実施形態も参照）、ＭＦＰ１０は、当該単一の画面を、携帯端末５０およびＭＦＰ１０における新たな表示内容としてそれぞれ決定する。そして、当該単一の画面（たとえば印刷設定画面２１０）が、携帯端末５０のタッチパネル７５に表示される（図１１参照）とともに、ＭＦＰ１０のタッチパネル２５にも表示される（図１０参照）。なお、ＢＬＥ通信を介してＭＦＰ１０と携帯端末５０とが接続された際に携帯端末５０のタッチパネル７５に複数の画面が表示されている場合は、上記第２実施形態と同様に、当該複数の画面のうちの一部の画面が携帯端末５０にて表示され、残余の画面がＭＦＰ１０にて表示される。
【０２０８】
ただし、ＢＬＥ通信を介さずに携帯端末５０によるＭＦＰ１０の遠隔操作が開始された場合は、第１実施形態と同様に、ＭＦＰ１０のタッチパネル２５には操作画面は表示されない。
【０２０９】
このように、携帯端末５０によるＭＦＰ１０の遠隔操作がＢＬＥ通信を介して開始された場合は、当該遠隔操作の開始後においてもＭＦＰ１０のタッチパネル２５に操作画面が引き続き表示されてもよい。
【０２１０】
＜第２の変形例＞
以下、遠隔操作が開始されると、常に、ＭＦＰ１０のタッチパネル２５に操作画面が引き続き表示される態様を第２の変形例として例示する。
【０２１１】
たとえば、第１の起動方法あるいは第２の起動方法によって遠隔操作アプリケーションＰ１が携帯端末５０にて起動されて遠隔操作が開始されると、ＭＦＰ１０のタッチパネル２５と携帯端末５０のタッチパネル７５との両タッチパネルに同一内容の操作画面が表示される。
【０２１２】
具体的には、携帯端末５０にて遠隔操作アプリケーションＰ１が起動された後、初期画面４００（図４）にてＭＦＰ１０のＩＰアドレスが入力されてＭＦＰ１０と携帯端末５０とが無線ＬＡＮを介して接続されると、携帯端末５０によるＭＦＰ１０の遠隔操作が開始される。そして、当該遠隔操作が開始されると、ＭＦＰ１０にタッチパネル２５に表示されていた操作画面（たとえば印刷設定画面２１０（図１０））の画面データがＭＦＰ１０から携帯端末５０に送信される。携帯端末５０は、当該画面データに基づき当該操作画面（印刷設定画面２１０）を携帯端末５０のタッチパネル７５に表示し（図１１参照）、ＭＦＰ１０は、当該操作画面（印刷設定画面２１０）をＭＦＰ１０のタッチパネル２５に引き続き表示する（図１０参照）。
【０２１３】
その後、携帯端末５０がＭＦＰ１０に近接した旨が判定されたことに応じて携帯端末５０とＭＦＰ１０とのＢＬＥ通信による接続が確立されると、ＭＦＰ１０は、表示内容決定処理を行う。
【０２１４】
具体的には、ＢＬＥ通信による接続が確立された際にＭＦＰ１０のタッチパネル２５（あるいは携帯端末５０のタッチパネル７５）に単一の画面のみが表示されている場合、ＭＦＰ１０は、当該単一の画面を、ＭＦＰ１０のタッチパネル２５と携帯端末５０のタッチパネル７５との両タッチパネルにおける新たな表示内容として決定する。そして、当該単一の画面がＭＦＰ１０のタッチパネル２５と携帯端末５０のタッチパネル７５とに表示される。
【０２１５】
また、ＢＬＥ通信による接続が確立された際にＭＦＰ１０のタッチパネル２５（あるいは携帯端末５０のタッチパネル７５）に複数の画面が表示されている場合、ＭＦＰ１０は、当該複数の画面をＭＦＰ１０向けの画面と携帯端末５０向けの画面とに分離する。そして、当該複数の画面のうちの一部の画面が携帯端末５０のタッチパネル７５に表示され、残余の画面がＭＦＰ１０のタッチパネル２５に表示される。
【０２１６】
このように、携帯端末５０によるＭＦＰ１０の遠隔操作が開始された後において、常に、ＭＦＰ１０のタッチパネル２５に操作画面が引き続き表示されるようにしてもよい。
【０２１７】
＜その他の変形例＞
上記各実施形態等においては、ＭＦＰ１０のタッチパネル２５（あるいは携帯端末５０のタッチパネル７５）において重なり合う２枚の画面のうちの上側の画面（たとえばヘルプ画面２５０）が下側の画面（たとえば印刷設定画面２１０）の一部に重畳している場合（図１２、図１４参照）に、当該複数の画面の分離動作が行われる態様を例示した。しかしながら、本発明はこれに限定されず、たとえば、当該上側の画面が当該下側の画面を覆うように（下側の画面の全部に）重畳している場合に、当該複数の画面の分離動作が行われてもよい。
【０２１８】
また、上記各実施形態等においては、ＢＬＥ通信による接続が確立された際にＭＦＰ１０のタッチパネル２５（第２実施形態では携帯端末５０のタッチパネル７５）にて複数の画面が重なって表示されている場合、常に（画面の種類にかかわらず）、当該複数の画面がＭＦＰ１０向けの画面と携帯端末５０向けの画面とに分離される態様を例示した。しかしながら、本発明はこれに限定されない。たとえば、ＢＬＥ通信による接続が確立された際にＭＦＰ１０のタッチパネル２５（あるいは携帯端末５０のタッチパネル７５）にて複数の画面が重なって表示されている場合、所定の種類の画面が当該複数の画面に含まれていることを条件として、当該複数の画面がＭＦＰ１０向けの画面と携帯端末５０向けの画面とに分離されるようにしてもよい。
【０２１９】
図２３は、ＭＦＰ１０のタッチパネル２５において印刷設定画面２１０にテンキー画面２６０が重畳して表示されている様子を示す図である。
【０２２０】
管理者等は、分離動作の対象とすべき画面（分離対象画面）の種類を予め指定する。たとえば、管理者等は、テンキー画面２６０を分離対象画面として予め指定する。
【０２２１】
その後、ＢＬＥ通信を介してＭＦＰ１０と携帯端末５０とが接続された際に複数の画面がＭＦＰ１０にて表示されている場合、ＭＦＰ１０は、所定の種類の画面が当該複数の画面に含まれているか否かを判定する。具体的には、ＭＦＰ１０は、分離対象画面（ここではテンキー画面２６０）が当該複数の画面に含まれているか否かを判定する。そして、ＭＦＰ１０は、当該所定の種類の画面が当該複数の画面に含まれていることを条件として、当該複数の画面をＭＦＰ１０用と携帯端末５０用とに分離する。
【０２２２】
たとえば、当該複数の画面にテンキー画面２６０が含まれている（図２３参照）場合、ＭＦＰ１０は、表示内容決定処理を行い、当該複数の画面をＭＦＰ１０用と携帯端末５０用とに分離する。そして、携帯端末５０のタッチパネル７５における新たな表示内容として決定された一部の画面（ここではテンキー画面２６０）に係る画面データがＭＦＰ１０から携帯端末５０へと送信され、当該画面データに基づくテンキー画面２６０が携帯端末５０にて表示される（図２４参照）。また、ＭＦＰ１０においては、ＭＦＰ１０のタッチパネル２５における新たな表示内容として決定された残余の画面（ここでは印刷設定画面２１０）がＭＦＰ１０のタッチパネル２５に表示される（図１０参照）。
【０２２３】
一方、ＢＬＥ通信を介してＭＦＰ１０と携帯端末５０とが接続された際に複数の画面がＭＦＰ１０にて表示されている場合であっても、当該複数の画面に分離対象画面（ここではテンキー画面２６０）が含まれていないときには、ＭＦＰ１０は、当該複数の画面を分離しない。そして、ＭＦＰ１０のタッチパネル２５に表示されている画面全体（当該複数の画面を含む全体の画面）に係る画面データがＭＦＰ１０から携帯端末５０へと送信され、当該画面データに基づく画面が携帯端末５０のタッチパネル７５に表示される。
【０２２４】
このように、ＢＬＥ通信による接続が確立された際にＭＦＰ１０のタッチパネル２５にて複数の画面が重なって表示されている場合、所定の種類の画面が当該複数の画面に含まれていることを条件として、当該複数の画面の分離動作が行われるようにしてもよい。なお、ＢＬＥ通信による接続が確立された際に携帯端末５０のタッチパネル７５にて複数の画面が表示されている場合（第２実施形態）に関しても、同様に、所定の種類の画面が当該複数の画面に含まれていることを条件として、当該複数の画面の分離動作が行われるようにしてもよい。
【０２２５】
また、上記実施形態等においては、ＢＬＥ通信による接続が確立された際にＭＦＰ１０のタッチパネル２５（第２実施形態では携帯端末５０のタッチパネル７５）にて複数の画面が重なって表示されている場合に、当該複数の画面がＭＦＰ１０向けの画面と携帯端末５０向けの画面とに分離される態様を例示したが、これに限定されない。たとえば、ＢＬＥ通信による接続が確立された際にＭＦＰ１０のタッチパネル２５（第２実施形態では携帯端末５０のタッチパネル７５）にて複数の画面が並列して表示されている場合に、当該複数の画面がＭＦＰ１０向けの画面と携帯端末５０向けの画面とに分離されるようにしてもよい。
【０２２６】
また、上記実施形態等においては、携帯端末５０を用いたＭＦＰ１０の遠隔操作において、ＭＦＰ１０にて生成された画面データがＭＦＰ１０から携帯端末５０へと送信され、当該画面データに基づく画面が携帯端末５０にて表示される態様を例示したが、これに限定されない。たとえば、携帯端末５０を用いたＭＦＰ１０の遠隔操作において、画面ＩＤがＭＦＰ１０から携帯端末５０に送信され、当該画面ＩＤに対応する画面が携帯端末５０にて表示されるようにしてもよい。なお、画面ＩＤがＭＦＰ１０から携帯端末５０にて送信される場合、携帯端末５０においては、当該画面ＩＤに対応する画面が予め格納されており、ＭＦＰ１０からの画面ＩＤに基づき、当該画面ＩＤに対応する画面が携帯端末５０のタッチパネル７５に表示されればよい。
【符号の説明】
【０２２７】
１  画像形成システム
１０  ＭＦＰ（画像形成装置）
２５  ＭＦＰのタッチパネル
５０  携帯端末
７５  携帯端末のタッチパネル
２１０  印刷設定画面
２５０  ヘルプ画面
【図１】
0006582959.tif 000002
【図２】
0006582959.tif 000003
【図３】
0006582959.tif 000004
【図４】
0006582959.tif 000005
【図５】
0006582959.tif 000006
【図６】
0006582959.tif 000007
【図７】
0006582959.tif 000008
【図８】
0006582959.tif 000009
【図９】
0006582959.tif 000010
【図１０】
0006582959.tif 000011
【図１１】
0006582959.tif 000012
【図１２】
0006582959.tif 000013
【図１３】
0006582959.tif 000014
【図１４】
0006582959.tif 000015
【図１５】
0006582959.tif 000016
【図１６】
0006582959.tif 000017
【図１７】
0006582959.tif 000018
【図１８】
0006582959.tif 000019
【図１９】
0006582959.tif 000020
【図２０】
0006582959.tif 000021
【図２１】
0006582959.tif 000022
【図２２】
0006582959.tif 000023
【図２３】
0006582959.tif 000024
【図２４】
0006582959.tif 000025